(57)【要約】  実施形態は、受信ユニットと同期ユニットとを備えるレシーバを提供する。前記受信ユニットは、パイロット・シーケンスを含むデータ・パケットを受信するように構成される。前記同期ユニットは、前記少なくとも２つの部分的な参照シーケンスのそれぞれについての部分的な相関結果を得るために、前記パイロット・シーケンスを前記データ・パケットの前記パイロット・シーケンスについての参照シーケンスに対応する少なくとも２つの部分的な参照シーケンスと個別に相関させるように構成されている。前記同期ユニットは、前記データ・パケットについての粗い相関結果を得るために前記部分的な相関結果を非コヒーレントに加算するように構成されている。【選択図】図１
2019516330.tif 000002
【特許請求の範囲】
【請求項１】
パイロット・シーケンス（１０８）を含むデータ・パケット（１０６）を受信するように構成された受信ユニット（１０２）と、
少なくとも２つの部分的な参照シーケンス（１１２＿１−１１２＿ｎ）のそれぞれについての部分的な相関結果（１１６＿１−１１６＿ｎ）を得るために、前記パイロット・シーケンス（１０８）を前記少なくとも２つの部分的な参照シーケンス（１１２＿１−１１２＿ｎ）と個別に相関させるように構成された同期ユニット（１０４）と、
を備えるレシーバ（１００）であって、
前記同期ユニット（１０４）は、前記データ・パケット（１０６）についての粗い相関結果（１１８）を得るために前記部分的な相関結果（１１２＿１−１１２＿ｎ）を非コヒーレントに加算するように構成される、
レシーバ（１００）。
【請求項２】
前記同期ユニット（１０４）は、前記部分的な相関結果（１１６＿１−１１６＿ｎ）の絶対値又は２乗された絶対値又は近似絶対値又は任意の他の非線形演算を加算することによって前記部分的な相関結果（１１６＿１−１１６＿ｎ）を非コヒーレントに加算するように構成される、
請求項１に記載のレシーバ（１００）。
【請求項３】
前記少なくとも２つの部分的な参照シーケンス（１１２＿１−１１２＿ｎ）は、前記データ・パケット（１０６）の前記パイロット・シーケンス（１０８）についての参照シーケンス（１１４）の少なくとも２つの異なる部分である、請求項１又は請求項２のいずれか１項に記載のレシーバ（１００）。
【請求項４】
前記データ・パケット（１０６）は、前記参照シーケンスとして少なくとも２つの部分的な参照シーケンス（１０８＿１−１０８＿ｎ）を含む、
請求項１ないし請求項３のいずれか１項に記載のレシーバ（１００）。
【請求項５】
前記受信ユニット（１０２）は、少なくとも２つのデータ・パケット（１０６）を受信するように構成され、前記少なくとも２つのデータ・パケット（１０６）のそれぞれは、パイロット・シーケンス（１０８）を含み、
前記同期ユニット（１０４）は、前記少なくとも２つのデータ・パケットのそれぞれについての前記少なくとも２つの部分的な参照シーケンスのそれぞれについての部分的な相関結果（１１６＿１−１１６＿ｎ）を得るために、前記少なくとも２つのデータ・パケット（１０６）のそれぞれの前記パイロット・シーケンス（１０８）を前記対応するデータ・パケット（１０６）の前記パイロット・シーケンス（１０８）についての参照シーケンス（１１４）に対応する少なくとも２つの部分的な参照シーケンス（１１２＿１−１１２＿ｎ）と個別に相関させるように構成され、
前記同期ユニット（１０４）は、前記少なくとも２つのデータ・パケットのそれぞれについての粗い相関結果（１１８）を得るために前記少なくとも２つのデータ・パケット（１０６）のそれぞれについての前記部分的な相関結果（１１６＿１−１１６＿ｎ）の少なくとも一部を非コヒーレントに加算するように構成され、
前記同期ユニット（１０４）は、結合された粗い相関結果を得るために、前記少なくとも２つのデータ・パケット（１０６）の前記粗い相関結果（１１８）の少なくとも一部を結合するように構成される、
請求項１ないし請求項４のいずれか１項に記載のレシーバ（１００）。
【請求項６】
前記同期ユニット（１０４）は、前記少なくとも２つのデータ・パケット（１０６）の前記粗い相関結果（１１８）の理想的なネイマン−ピアソン検出器（Neyman-Pearson detector）の和又は近似値を使用することによって前記少なくとも２つのデータ・パケット（１０６）の前記粗い相関結果（１１８）を結合するように構成される、
請求項５に記載のレシーバ（１００）。
【請求項７】
前記少なくとも２つのデータ・パケット（１０６）は、前記少なくとも２つのデータ・パケット（１０６）に分離されて送信されるテレグラムの一部であり、前記レシーバ（１００）は、前記テレグラムを得るために前記少なくとも２つのデータ・パケット（１０６）を結合するように構成されたデータ・パケット（１０６）結合ユニットを備える、
請求項５又は請求項６のいずれか１項に記載のレシーバ（１００）。
【請求項８】
前記同期ユニット（１０４）は、前記データ・パケット（１０６）についての細かな相関結果を得るために前記部分的な相関結果（１１６＿１−１１６＿ｎ）をコヒーレントに加算するように更に構成される、
請求項１ないし請求項７のいずれか１項に記載のレシーバ（１００）。
【請求項９】
前記結合された粗い相関が所定の閾値を超える場合、前記同期ユニット（１０４）は、前記少なくとも２つのデータ・パケット（１０６）のそれぞれについての細かな相関結果を得るために前記少なくとも２つのデータ・パケット（１０６）のそれぞれについての前記部分的な相関結果（１１６＿１−１１６＿ｎ）をコヒーレントに加算するように更に構成され、
前記同期ユニット（１０４）は、結合された細かな相関結果を得るために、前記少なくとも２つのデータ・パケット（１０６）の前記細かな相関結果を結合するように構成される、
請求項５ないし請求項８のいずれか１項に記載のレシーバ（１００）。
【請求項１０】
前記同期ユニット（１０４）は、前記データ・パケット（１０６）の周波数オフセットを推定するように構成される、
請求項１ないし請求項９のいずれか１項に記載のレシーバ（１００）。
【請求項１１】
前記データ・パケット（１０６）は、前記パイロット・シーケンス（１０８）の位相シフトにおいて符号化されたヘッダ情報を含み、
前記レシーバ（１００）は、前記推定された周波数オフセットを使用して前記データ・パケット（１０６）に周波数補正を適用して前記パイロット・シーケンス（１０８）の前記位相シフトを推定することによって、前記データ・パケット（１０６）から前記ヘッダ情報を抽出するように構成されたヘッダ抽出ユニットを備える、
請求項１０に記載のレシーバ（１００）。
【請求項１２】
前記同期ユニット（１０４）は、結合された粗い相関結果を得るために、前記少なくとも２つの部分的な参照シーケンスの前記粗い相関結果を正規化し、そして、前記少なくとも２つの部分的な参照シーケンスの前記正規化された粗い相関結果を結合するように構成される、
請求項１ないし請求項１１のいずれか１項に記載のレシーバ（１００）。
【請求項１３】
前記同期ユニット（１０４）は、前記パイロット・シーケンスのシンボルを正規化して、正規化されたパイロット・シーケンスを得て、そして、前記正規化されたパイロット・シーケンスを前記少なくとも２つの部分的な参照シーケンス（１１２＿１−１１２＿ｎ）と個別に相関させるように構成される、
請求項１ないし請求項１１のいずれか１項に記載のレシーバ（１００）。
【請求項１４】
前記同期ユニット（１０４）は、前記データ・パケット（１０６）についての前記部分的な相関結果（１１６＿１−１１６＿ｎ）の分散を計算し、そして、前記データ・パケット（１０６）についての前記部分的な相関結果の前記分散が所定の閾値以下である場合に前記データ・パケット（１０６）を検出するように構成される、
請求項１ないし請求項１３のいずれか１項に記載のレシーバ（１００）。
【請求項１５】
前記同期ユニット（１０４）は、前記データ・パケット（１０６）のシンボルにウエイト・ファクタを適用するように構成されるか、請求項４に記載の前記少なくとも２つの部分的なパイロット・シーケンス（１０８＿１−１０８＿ｎ）のそれぞれのシンボルに個別のウエイト・ファクタを適用するように構成されるか、又は、請求項４に記載の前記少なくとも２つの部分的なパイロット・シーケンス（１０８＿１−１０８＿ｎ）の各シンボルに個別のウエイト・ファクタを適用するように構成される、
請求項１ないし請求項１４のいずれか１項に記載のレシーバ（１００）。
【請求項１６】
前記同期ユニット（１０４）は、前記相関のメイン・ローブとサイド・ローブとを検出し、そして、前記メイン・ローブと前記サイド・ローブとの間の既知の距離を使用して相関結果として前記検出されたメイン・ローブを提供するように構成される、
請求項１ないし請求項１５のいずれか１項に記載のレシーバ（１００）。
【請求項１７】
前記同期ユニット（１０４）は、前記データ・パケット（１０６）を検出するために相関ウインドウを使用するように構成され、前記データ・パケット（１０６）は、前記相関ウインドウの範囲内で所定の閾値を超える全ての相関ピークのうちの最も高いピークを検出することによって検出される、
請求項１ないし請求項１６のいずれか１項に記載のレシーバ（１００）。
【請求項１８】
データ・パケット（１０６）を受信するように構成された受信ユニット（１０２）であって、前記データ・パケット（１０６）のうちの少なくとも２つが少なくとも２つの部分的なパイロット・シーケンス（１０８＿１−１０８＿ｎ）のうちの１つの部分的なパイロット・シーケンスを含む、受信ユニット（１０２）と、
少なくとも２つの部分的な参照シーケンス（１１２＿１−１１２＿ｎ）のそれぞれについての部分的な相関結果（１１６＿１−１１６＿ｎ）を得るために、前記部分的なパイロット・シーケンス（１０８＿１−１０８＿ｎ）を前記少なくとも２つの部分的な参照シーケンス（１１２＿１−１１２＿ｎ）と個別に相関させるように構成された同期ユニット（１０４）と、
を備えるレシーバ（１００）であって、
前記同期ユニット（１０４）は、前記データ・パケット（１０６）についての粗い相関結果（１１８）を得るために前記部分的な相関結果（１１２＿１−１１２＿ｎ）を非コヒーレントに加算するように構成される、
レシーバ（１００）。
【請求項１９】
前記同期ユニット（１０４）は、前記部分的な相関結果（１１６＿１−１１６＿ｎ）の絶対値、２乗された絶対値、近似絶対値又は任意の他の非線形演算を加算することによって前記部分的な相関結果（１１６＿１−１１６＿ｎ）を非コヒーレントに加算するように構成される、
請求項１８に記載のレシーバ（１００）。
【請求項２０】
前記少なくとも２つの部分的な参照シーケンス（１１２＿１−１１２＿ｎ）は、参照シーケンス（１１４）の少なくとも２つの異なる部分であり、前記少なくとも２つの部分的なパイロット・シーケンス（１０８＿１−１０８＿ｎ）は、パイロット・シーケンス（１０８）の少なくとも２つの異なる部分である、
請求項１８又は請求項１９のいずれか１項に記載のレシーバ（１００）。
【請求項２１】
前記受信ユニット（１０２）は、更なるデータ・パケット（１０６）を受信するように構成され、前記更なるデータ・パケット（１０６）のうちの少なくとも２つは、少なくとも２つの部分的なパイロット・シーケンス（１０８＿１−１０８＿ｎ）のうちの１つの部分的なパイロット・シーケンスを含み、
前記同期ユニット（１０４）は、前記少なくとも２つの部分的な参照シーケンス（１１２＿１−１１２＿ｎ）のそれぞれについての部分的な相関結果（１１６＿１−１１６＿ｎ）を得るために、前記更なるデータ・パケットの前記部分的なパイロット・シーケンス（１０８＿１−１０８＿ｎ）を少なくとも２つの部分的な参照シーケンス（１１２＿１−１１２＿ｎ）と個別に相関させるように構成され、前記同期ユニット（１０４）は、前記更なるデータ・パケット（１０６）についての粗い相関結果（１１８）を得るために前記更なるデータ・パケット（１０６）についての前記部分的な相関結果（１１２＿１−１１２＿ｎ）を非コヒーレントに加算するように構成され、
前記同期ユニット（１０４）は、結合された粗い相関結果を得るために、前記データ・パケット（１０６）の前記粗い相関結果（１１８）の少なくとも一部と前記更なるデータ・パケット（１０６）とを結合するように構成される、
請求項１８ないし請求項２０のいずれか１項に記載のレシーバ（１００）。
【請求項２２】
前記同期ユニット（１０４）は、前記データ・パケット（１０６）及び前記更なるデータ・パケット（１０６）の前記粗い相関結果（１１８）の理想的なネイマン−ピアソン検出器（Neyman-Pearson detector）の和又は近似値を使用することによって前記データ・パケット（１０６）及び前記更なるデータ・パケット（１０６）の前記粗い相関結果（１１８）を結合するように構成される、
請求項２１に記載のレシーバ（１００）。
【請求項２３】
前記同期ユニット（１０４）は、前記データ・パケットについての細かな相関結果を得るために前記データ・パケットの前記部分的な相関結果（１１６＿１−１１６＿ｎ）をコヒーレントに加算するように更に構成される、
請求項１８ないし請求項２２のいずれか１項に記載のレシーバ（１００）。
【請求項２４】
前記結合された粗い相関結果が所定の閾値を超える場合に、前記同期ユニット（１０４）は、前記データ・パケットについての細かな相関結果を得るために前記データ・パケットの前記部分的な相関結果（１１６＿１−１１６＿ｎ）をコヒーレントに加算し、そして、前記更なるデータ・パケットについての細かな相関結果を得るために前記更なるデータ・パケット（１０６）の前記部分的な相関結果（１１６＿１−１１６＿ｎ）をコヒーレントに加算するように更に構成され、
前記同期ユニット（１０４）は、結合された細かな相関結果を得るために、前記データ・パケット（１０６）及び前記更なるデータ・パケット（１０６）の前記細かな相関結果を結合するように構成される、
請求項２１ないし請求項２３のいずれか１項に記載のレシーバ。
【請求項２５】
前記同期ユニット（１０４）は、前記部分的なパイロット・シーケンスのシンボルを正規化して、正規化された部分的なパイロット・シーケンスを得て、そして、前記正規化された部分的なパイロット・シーケンスを前記対応する部分的な参照シーケンス（１１２＿１−１１２＿ｎ）と個別に相関させるように構成される、
請求項１８ないし請求項２４のいずれか１項に記載のレシーバ（１００）。
【請求項２６】
前記同期ユニット（１０４）は、前記部分的な相関結果（１１６＿１−１１６＿ｎ）の分散を計算し、そして、前記データ・パケット（１０６）についての前記部分的な相関結果の前記分散が所定の閾値以下である場合に前記データ・パケット（１０６）を検出するように構成される、
請求項１８ないし請求項２５のいずれか１項に記載のレシーバ（１００）。
【請求項２７】
前記同期ユニット（１０４）は、前記データ・パケット（１０６）のシンボルにウエイト・ファクタを適用するように構成されるか、前記少なくとも２つの部分的なパイロット・シーケンス（１０８＿１−１０８＿ｎ）のそれぞれのシンボルに個別のウエイト・ファクタを適用するように構成されるか、又は、前記少なくとも２つの部分的なパイロット・シーケンスの各シンボルに個別のウエイト・ファクタを適用するように構成される、
請求項１８ないし請求項２６のいずれか１項に記載のレシーバ（１００）。
【請求項２８】
前記同期ユニット（１０４）は、前記相関のメイン・ローブ及びサイド・ローブを検出し、そして、前記メイン・ローブと前記サイド・ローブとの間の既知の距離を使用して前記検出されたメイン・ローブを相関結果として提供するように構成される、
請求項１８ないし請求項２７のいずれか１項に記載のレシーバ（１００）。
【請求項２９】
前記同期ユニット（１０４）は、前記データ・パケット（１０６）を検出するために相関ウインドウを使用するように構成され、前記データ・パケット（１０６）は、前記相関ウインドウの範囲内で所定の閾値を超える全ての相関ピークのうちの最も高いピークを検出することによって検出される、
請求項１８ないし請求項２８のいずれか１項に記載のレシーバ（１００）。
【請求項３０】
パイロット・シーケンスを含むデータ・パケットを受信するステップ（２０２）と、
前記少なくとも２つの部分的な参照シーケンスについての部分的な相関結果を得るために、前記パイロット・シーケンスを前記データ・パケットの前記パイロット・シーケンスについての参照シーケンスに対応する前記少なくとも２つの部分的な参照シーケンスと個別に相関させるステップ（２０４）と、
前記データ・パケットについての相関結果を得るために前記部分的な相関結果を非コヒーレントに加算するステップ（２０６）と、
を備える方法（２００）。
【請求項３１】
データ・パケット（１０６）を受信するステップであって、前記データ・パケット（１０６）のうちの少なくとも２つが少なくとも２つの部分的なパイロット・シーケンス（１０８＿１−１０８＿ｎ）のうちの１つの部分的なパイロット・シーケンスを含む、受信するステップと、
前記少なくとも２つの部分的な参照シーケンス（１１２＿１−１１２＿ｎ）のそれぞれについての部分的な相関結果（１１６＿１−１１６＿ｎ）を得るために、前記部分的なパイロット・シーケンス（１０８＿１−１０８＿ｎ）を少なくとも２つの部分的な参照シーケンス（１１２＿１−１１２＿ｎ）と個別に相関させるステップと、
前記データ・パケット（１０６）についての粗い相関結果（１１８）を得るために前記部分的な相関結果（１１２＿１−１１２＿ｎ）を非コヒーレントに加算するステップと、
を備える方法。
【請求項３２】
請求項３０又は請求項３１に記載の前記方法を実行するためのコンピュータ・プログラム。
【請求項３３】
パイロット・シーケンス（１０８）を含むデータ・パケット（１０６）を受信するように構成された受信ユニット（１０２）と、
相関結果を得るために、前記パイロット・シーケンス（１０８）と参照シーケンスとを相関させるように構成された同期ユニット（１０４）と、
を備えるレシーバ（１００）であって、
前記同期ユニット（１０４）は、前記データ・パケット（１０６）のシンボルにウエイト・ファクタを適用するように構成されるか、前記パイロット・シーケンス（１０８）のシンボルにウエイト・ファクタを適用するように構成されるか、又は、前記パイロット・シーケンス（１０８）の各シンボルに個別のウエイト・ファクタを適用するように構成される、
レシーバ（１００）。
【請求項３４】
パイロット・シーケンス（１０８）を含むデータ・パケット（１０６）を受信するように構成された受信ユニット（１０２）と、
相関結果を得るために、前記パイロット・シーケンス（１０８）と参照シーケンスとを相関させるように構成された同期ユニット（１０４）と、
を備えるレシーバ（１００）であって、
前記同期ユニット（１０４）は、前記データ・パケット（１０６）を検出するための相関ウインドウを使用するように構成され、前記データ・パケット（１０６）は、前記相関ウインドウの範囲内で所定の閾値を超える全ての相関ピークのうちの最も高いピークを検出することによって検出される、
レシーバ（１００）。
【発明の詳細な説明】
【技術分野】
【０００１】
実施形態は、レシーバに関する。さらなる実施形態は、データ・パケットを受信するための方法に関する。いくつかの実施形態は、最適化されたプリアンブルに関する。いくつかの実施形態は、干渉ロバスト検出に関する。いくつかの実施形態は、プリアンブル分割に関する。いくつかの実施形態は、非コヒーレント相関に関する。いくつかの実施形態は、パイロット・シグナリングに関する。
【背景技術】
【０００２】
多数のノード、例えば、加熱、電気又は水道メータから少量のデータ例えばセンサ・データを基地局に送信するためのシステムは、知られている。基地局は、多数のノードからの信号を受信し、場合によっては多数のノードを制御する。基地局では、より高い計算能力とより複雑なハードウェアすなわちより高いパフォーマンスを有するレシーバが、利用可能である。ノードにおいては、一般に１０ｐｐｍ以上の周波数オフセットを有する安価な結晶のみが利用可能である。
【０００３】
[G. Kilian, H. Petkov, R. Psiuk, H. Lieske, F. Beer, J. Robert, and A. Heuberger, "Improved coverage for low-power telemetry systems using telegram splitting," in Proceedings of 2013 European Conference on Smart Objects, Systems and Technologies (SmartSysTech), 2013]において、テレグラム分割を使用する低電力テレメトリ・システムについての適用範囲の改善は、示されている。
【０００４】
[G. Kilian, M. Breiling, H. H. Petkov, H. Lieske, F. Beer, J. Robert, and A. Heuberger, "Increasing Transmission Reliability for Telemetry Systems Using Telegram Splitting," IEEE Transactions on Communications, vol. 63, no. 3, pp. 949-961, Mar. 2015]において、テレグラム分割を使用するテレメトリ・システムについての送信信頼性の向上は、示されている。
【０００５】
[R. De Gaudenzi, F. Giannetti, and M. Luise, "Signal recognition and signature code acquisition in CDMA mobile packet communications," IEEE Transactions on Vehicular Tecohnology, vol. 47, no. 1, pp. 196-208, Feb. 1998]において、ＣＤＭＡ（ＣＤＭＡ＝ｃｏｄｅ  ｄｉｖｉｓｉｏｎ  ｍｕｌｔｉｐｌｅ  ａｃｃｅｓｓ）モバイル・パケット通信における信号認識およびシグニチャ・コード取得は、議論されている。
【０００６】
[J. Block and E. W. Huang, "Packet Acquisition Performance of Frequency-Hop Spread-Spectrum Systems in Partial-Band Interference," in IEEE Military Communications Conference, 2007. MILCOM 2007, 2007, pp. 1-7]において、部分的なバンド干渉における周波数ホップ拡散スペクトル・システムのパケット取得パフォーマンスは、議論されている。
【０００７】
国際公開第２０１３／０３０３０３号公報は、一方向のデータ送信を有するバッテリ駆動の固定されたセンサ・アセンブリを示す。
【発明の概要】
【発明が解決しようとする課題】
【０００８】
本発明の目的は、トランスミッタとレシーバとの間の通信を改善する概念を提供することである。
【課題を解決するための手段】
【０００９】
この目的は、独立請求項によって解決される。
【００１０】
実施形態は、受信ユニットと同期ユニットとを備えるレシーバを提供する。受信ユニットは、パイロット・シーケンスを含むデータ・パケットを受信するように構成される。同期ユニットは、少なくとも２つの部分的な参照シーケンスのそれぞれについての部分的な相関結果を得るために、パイロット・シーケンスをデータ・パケットのパイロット・シーケンスについての参照シーケンスに対応する少なくとも２つの部分的な参照シーケンスと個別に相関させるように構成されている。そして、同期ユニットは、データ・パケットについての粗い相関結果を得るために部分的な相関結果を非コヒーレントに加算するように構成される。
【００１１】
本発明の考えは、少なくとも２つの部分的な参照シーエンスのそれぞれについての部分的な相関結果を得るために、データ・パケット（又はデータ・パケットのパイロット・シーケンス）をデータ・パケットに含まれるパイロット・シーケンスよりもぞれぞれ短い少なくとも２つの部分的な参照シーケンスと相関させることによってデータ・パケットを同期することである。ここで、部分的な相関結果は、非コヒーレントに加算され、それによって、同期パフォーマンスを改善するために、データ・パケットが減少される送信チャンネルの効果を減少する。
【００１２】
更なる実施形態は、方法を提供し、方法は、
−パイロット・シーケンスを含むデータ・パケットを受信するステップと、
−少なくとも２つの部分的な参照シーケンスについての部分的な相関結果を得るために、パイロット・シーケンスをデータ・パケットのパイロット・シーケンスについての参照シーケンスに対応する少なくとも２つの部分的な参照シーケンスと個別に相関させるステップと、
−データ・パケットについての相関結果を得るために部分的な相関結果を非コヒーレントに加算するステップと、
を備える。
【００１３】
更なる実施形態は、受信ユニットと同期ユニットとを備えるレシーバを提供する。受信ユニットは、データ・パケット（例えば、少なくとも２つのデータ・パケット）を受信するように構成される。データ・パケットのうちの少なくとも２つ（例えば、少なくとも２つのデータ・パケットのそれぞれ）は、少なくとも２つの部分的なパイロット・シーケンスのうちの１つの部分的なパイロット・シーケンスを含む。同期ユニットは、少なくとも２つの部分的な参照シーケンスのそれぞれについての部分的な相関結果を得るために、部分的なパイロット・シーケンスを少なくとも２つの部分的な参照シーケンスと個別に相関させるように構成される。それによって、同期ユニットは、２つのデータ・パケットについての粗い相関結果を得るために部分的な相関結果を非コヒーレントに加算するように構成される。
【００１４】
更なる実施形態は、方法を提供し、方法は、
−少なくとも２つのデータ・パケットを受信するステップであって、少なくとも２つのデータ・パケットのそれぞれが少なくとも２つの部分的なパイロット・シーケンスのうちの部分的なパイロット・シーケンスを含むステップと、
−少なくとも２つの部分的な参照シーケンスのそれぞれについて部分的な相関結果を得るために、部分的なパイロット・シーケンスを少なくとも２つの部分的な参照シーケンスと個別に相関させるステップと、
−２つのデータ・パケットについての粗い相関結果を得るために部分的な相関結果を非コヒーレントに加算するステップと、
を備える。
【００１５】
更なる実施形態は、受信ユニットと同期ユニットとを備えるレシーバを提供する。受信ユニットは、パイロット・シーケンスを含むデータ・パケットを受信するように構成される。同期ユニットは、相関結果を得るために、参照シーケンスをパイロット・シーケンスと相関させるように構成される。それによって、同期ユニットは、データ・パケットのシンボルにウエイト・ファクタを適用する、パイロット・シーケンスのシンボルにウエイト・ファクタを適用する、又は、パイロット・シーケンスの各シンボルに個別のウエイト・ファクタを適用するように構成される。
【００１６】
更なる実施形態は、受信ユニットと同期ユニットとを備えるレシーバを提供する。受信ユニットは、パイロット・シーケンスを含むデータ・パケットを受信するように構成される。同期ユニットは、相関結果を得るために、参照シーケンスをパイロット・シーケンスと相関させるように構成される。それによって、同期ユニットは、データ・パケットを検出するための相関ウインドウを使用するように構成される。ここで、データ・パケットは、相関ウインドウの範囲内の所定の閾値を超える全ての相関ピークのうちの最も高いピークを検出することによって検出される。
【００１７】
有利な実施形態は、従属請求項に記載されている。
【００１８】
いくつかの実施形態において、部分的な相関結果を非コヒーレントに加算することは、相関後の位相情報を、例えば、部分的な相関結果の絶対値、２乗された絶対値又は近似絶対値を加算することによって、破棄することを含む。
【００１９】
いくつかの実施形態において、同期ユニットは、部分的な相関結果の絶対値、２乗された絶対値又は近似絶対値を加算することによって部分的な相関結果を非コヒーレントに加算するように構成されることができる。
【００２０】
いくつかの実施形態において、少なくとも２つの部分的な参照シーケンスは、参照シーケンスの少なくとも２つの異なる部分であることができる。
【００２１】
いくつかの実施形態において、データ・パケットは、参照シーケンスとして少なくとも２つの部分的な参照シーケンスを含むことができる。
【００２２】
いくつかの実施形態において、受信ユニットは、少なくとも２つのデータ・パケットを受信するように構成されることができる。ここで、少なくとも２つのデータ・パケットの一部のみは、パイロット・シーケンスを含み、例えば、受信ユニットは、パイロット・シーケンスを伴うことなく、データ・パケットを受信するように構成されることができる。
【００２３】
いくつかの実施形態において、受信ユニットは、少なくとも２つのデータ・パケットを受信するように構成されることができる。ここで、少なくとも２つのデータ・パケットのそれぞれは、パイロット・シーケンスを含むことができる。同期ユニットは、少なくとも２つのデータ・パケットのそれぞれについての少なくとも２つの部分的な参照シーケンスのそれぞれについての部分的な相関結果を得るために、少なくとも２つのデータ・パケットのそれぞれのパイロット・シーケンスを対応するデータ・パケットのパイロット・シーケンスについての参照シーケンスに対応する少なくとも２つの部分的な参照シーケンスと個別に相関させるように構成されることができる。さらに、同期ユニットは、少なくとも２つのデータ・パケットのそれぞれについての粗い相関結果を得るために少なくとも２つのデータ・パケットのぞれぞれについての部分的な相関結果の少なくとも一部を非コヒーレントに加算するように構成されることができ、そして、結合された粗い相関結果を得るために少なくとも２つのデータ・パケットの粗い相関結果の少なくとも一部を結合するように構成されることができる。
【００２４】
同期ユニットは、少なくとも２つのデータ・パケットの粗い相関結果の理想的なネイマン−ピアソン検出器の和又は近似値を使用することによって少なくとも２つのデータ・パケットの粗い相関結果を結合するように構成されることができる。
【００２５】
いくつかの実施形態において、少なくとも２つのデータ・パケットは、少なくとも２つのデータ・パケットへ分離されて送信されることができるテレグラムの一部となることができる。レシーバは、テレグラムを得るために少なくとも２つのデータ・パケットを結合するように構成されるデータ・パケット結合ユニットを更に備えることができる。
【００２６】
同期ユニットは、データ・パケットについての細かな相関を得るために部分的な相関結果をコヒーレントに加算するように更に構成されることができる。
【００２７】
さらに、結合された粗い相関結果が所定の閾値を超える場合、同期ユニットは、少なくとも２つのデータ・パケットのそれぞれについての細かな相関結果を得るために少なくとも２つのデータ・パケットのそれぞれについての部分的な相関結果をコヒーレントに加算するように更に構成されることができる。例えば、同期ユニットは、結合された細かな相関結果を得るために、少なくとも２つのデータ・パケットの細かな相関結果を結合するように構成されることができる。
【００２８】
同期ユニットは、テレグラムについての粗い相関結果を得るために、少なくとも２つのデータ・パケットの粗い相関結果を正規化し、少なくとも２つのデータ・パケットの正規化された粗い相関結果を結合するように構成されることができる。
【００２９】
さらに、同期ユニットは、結合された細かな相関結果を得るために、少なくとも２つのデータ・パケットの細かな相関結果を正規化し、少なくとも２つのデータ・パケットの正規化された細かな相関結果を結合するように構成されることができる。
【００３０】
いくつかの実施形態において、同期ユニットは、データ・パケットの周波数オフセットを推定するように構成されることができる。
【００３１】
例えば、同期ユニットは、周波数領域におけるオーバーサンプリングと複数の周波数上の平行な相関とによって大きなオフセット（例えば、データ・レート以上）の場合に周波数オフセットを推定するように構成されることができる。最も高いピークを有する相関結果は、粗い周波数オフセットを供給する。
【００３２】
さらに、同期ユニットは、隣接するシンボルの間の位相差に基づいて小さなオフセット（例えば、データ・レート未満）の場合に周波数オフセットを推定するように構成されることができる。
【００３３】
さらに、同期ユニットは、これらの部分的なパイロット・シーケンスに直接的に基づいて十分に大きな部分的なパイロット・シーケンス（例えば、信号対ノイズ比に依存する）の場合に周波数オフセットを推定するように構成されることができる。
【００３４】
さらに、同期ユニットは、粗い周波数オフセットを得るために粗い相関結果に基づいて、または、細かな周波数オフセットを得るために細かな相関結果に基づいて周波数オフセットを推定するように構成されることができる。
【００３５】
レシーバは、推定された周波数オフセットを使用してデータ・パケットの周波数補正を適用してパイロット・シーケンスの位相シフトを推定することによってパイロット・シーケンスの位相シフトにおいて符号化されたデータ・パケットからヘッダ情報を抽出するように構成されたヘッダ抽出ユニットを備えることができる。
【００３６】
いくつかの実施形態において、同期ユニットは、パイロット・シーケンスのシンボルを正規化して、正規化されたパイロット・シーケンスを得て、そして、正規化されたパイロット・シーケンスを少なくとも２つの部分的な参照シーケンスと個別に相関させるように構成されることができる。
【００３７】
いくつかの実施形態において、同期ユニットは、データ・パケットについての部分的な相関結果の分散を計算し、データ・パケットについての部分的な相関結果の分散が所定の閾値以下である場合にデータ・パケットを検出するように構成されることができる。
【００３８】
いくつかの実施形態において、同期ユニットは、データ・パケットのシンボルにウエイト・ファクタを適用するように構成されるか、少なくとも２つの部分的なパイロット・シーケンスのそれぞれのシンボルに個別のウエイト・ファクタを適用するように構成されるか、少なくとも２つの部分的なパイロット・シーケンスの各シンボルに個別のウエイト・ファクタを適用するように構成されるか、少なくとも２つの部分的な参照シーケンスのそれぞれに個別のウエイト・ファクタを適用するように構成されるか、又は、データ・パケットの各シンボルに個別のウエイト・ファクタを適用するように構成されることができる。
【００３９】
いくつかの実施形態において、同期ユニットは、相関のメイン・ローブおよびサイド・ローブを検出し、メイン・ローブとサイド・ローブとの間の既知の距離を使用して相関結果として検出されたメイン・ローブを提供するように構成されることができる。
【００４０】
いくつかの実施形態において、同期ユニットは、データ・パケットを検出するための相関ウインドウを使用するように構成されることができる。ここで、データ・パケットは、相関ウインドウの範囲内で所定の閾値を超える全ての相関ピークのうちの最も高いピークを検出することによって検出される。
【００４１】
実施形態は、サブパケットの範囲内のプリアンブルの部分的な相関の使用と多数のサブパケットを跨ぐ結合とによってテレグラムの計算的に効率の良い周波数集中検出を提供する。
【００４２】
更なる実施形態は、サブパケットのパイロットの部分的なプリアンブル・パート（部分的なプリアンブル）の送信についての位相オフセットを使用することによってレシーバ・パフォーマンスへの影響を与えないか又は僅かな影響しかを与えない同期パイロットと検出とを使用して（付加的な）ヘッダ情報のロバスト送信を提供する。
【００４３】
更なる実施形態は、干渉ロバスト検出を提供する。
【００４４】
本発明の実施形態は、添付された図面を参照しながら明細書で説明されている。
【図面の簡単な説明】
【００４５】
【図１】図１は、一実施形態による、レシーバの概略的なブロック図を示す。
【図２ａ】図２ａは、一実施形態による、データ・パケット（サブパケット）の概略図である。
【図２ｂ】図２ｂは、更なる実施形態による、データ・パケット（サブパケット）の概略図を示す。
【図２ｃ】図２ｃは、更なる実施形態による、データ・パケット（サブパケット）の概略図を示す。
【図２ｄ】図２ｄは、更なる実施形態による、データ・パケット（サブパケット）の概略図を示す。
【図２ｅ】図２ｅは、更なる実施形態による、データ・パケット（サブパケット）の概略図を示す。
【図２ｆ】図２ｆは、更なる実施形態による、データ・パケット（サブパケット）の概略図を示す。
【図３】図３は、EP 2 914 039 A1による、データ・パケットの同期の概略図を示す。
【図４】図４は、一実施形態による、データ・パケットの同期の概略図を示す。
【図５】図５は、経時的にＢａｒｋｅｒ−７コード・プロッタの自己相関関数の振幅を示す。
【図６】図６は、経時的に干渉子プロッタによって引き起こされるより高いサイドローブを有するＢａｒｋｅｒ−７コードの自己相関関数の振幅を示す。
【図７ａ】図７ａは、３つの異なるタイム・スロットについて、２つの部分的なパイロット・シーケンスとデータ・シーケンスと、データ・パケットをオーバーレイする長い干渉子と、を有するデータ・パケットの概略図を示す。
【図７ｂ】図７ｂは、３つの異なるタイム・スロットのそれぞれについて経時的にプロットされたテレグラムの広い正規化またはサブパケットのための受信能力および正規化された受信能力を示す。
【図８ａ】図８ａは、３つの異なるタイム・スロットについて、２つの部分的なパイロット・シーケンスとデータ・シーケンスと、データ・パケットをオーバーレイする短い干渉子と、を有するデータ・パケットの概略図を示す。
【図８ｂ】図８ｂは、３つの異なるタイム・スロットのそれぞれについて経時的にプロットされたテレグラムの広い正規化またはサブパケットのための受信能力および正規化された受信能力を示す。
【図９ａ】図９ａは、３つの異なるタイム・スロットについて、２つの部分的なパイロット・シーケンスとデータ・シーケンスと、データ・パケットをオーバーレイする短い干渉子と、を有するデータ・パケットの概略図を示す。
【図９ｂ】図９ｂは、３つの異なるタイム・スロットのそれぞれについて経時的にプロットされたシンボルの広い正規化のための受信能力および正規化された受信能力を示す。
【図１０】図１０は、一実施形態による、全ての（又は少なくとも一部の）データ・パケットにわたる分散の計算の概略図とともにコミュニケーション・チャンネルにわたる複数のデータ・パケットに分離されて送信されるテレグラムの一部である複数のデータ・パケットを示す。
【図１１】図１１は、一実施形態による、データ・パケットのそれぞれが２つの部分的なパイロット・シーケンスを有し、各データ・パケットについての部分的なパイロット・シーケンスのそれぞれに対して個別のウエイティング・ファクタを適用することによって実行されるパイロット・シーケンスの重み付けを３つのデータ・パケットの概略図で示す。
【図１２】図１２は、一実施形態による、経時的にプロットされた相関関数の振幅を示す。
【図１３】図１３は、一実施形態による、検出ウインドウの概略図を示す。
【図１４】図１４は、一実施形態による、検出ウインドウを使用してデータ・パケットを検出する方法のフローチャートを示す。
【図１５】図１５は、一実施形態による、データ・パケットを検出するために用いられる検出ウインドウおよび閾値と、３つの異なるタイム・スロットについて経時的にプロットされた相関結果の振幅と、を３つの図で示す。
【図１６】図１６は、一実施形態による、コミュニケーション・チャンネルにわたる複数のデータ・パケットに分離されて送信されるテレグラムの一部である複数のデータ・パケットと３つのデータ・パケットにわたる部分的な相関の概略図とを示す。
【図１７】図１７は、データ・パケットを受信する方法のフローチャートを示す。
【図１８】図１８は、一実施形態による、レシーバの概略的なブロック図を示す。
【図１９】図１９は、一実施形態による、データ・パケットを受信する方法のフローチャートを示す。
【発明を実施するための形態】
【００４６】
同じ又は同等の機能を有する同じ又は同等の要素は、以下の説明において、同じ又は同等の参照符号で示されている。
【００４７】
以下の説明では、複数の詳細は、本発明の実施形態のより完全な説明を提供するために示されている。しかし、当業者には、本発明の実施形態がこれらの特定の詳細なしに実施され得ることは、明らかであろう。他の例では、周知の構造および装置は、本発明の実施形態を不明瞭にすることをさけるために詳細であるよりもむしろブロック図の形態で示されている。加えて、以下に説明される異なる実施形態の特徴は、特記しない限り、互いに組み合わせることができる。
【００４８】
図１は、一実施形態によるレシーバ１００の概略的なブロック図を示す。レシーバ１００は、受信ユニット１０２と同期ユニット１０４とを備える。受信ユニット１０２は、パイロット・シーケンス１０８を含むデータ・パケット１０６を受信するように構成されている。
【００４９】
例えば、受信ユニット１０２は、レシーバ１００にコミュニケーション・チャンネルに渡ってトランスミッタから送信された信号を受信し復調し、そして、それに基づいてデータ・パケット１０６を含むデータ・ストリームを提供するように構成されている。
【００５０】
データ・パケット１０６は、パイロット・シーケンス１０８と、パイロット・シーケンス１０８の前、後又は間（図１に示されておらず、例えば、図２参照）に配置された１つ又は複数のデータ・シーケンス１１０と、を含むことができる。データ・パケット１０６は、複数のデータ・パケット（又はサブパケット）に分離されて送信されるテレグラムの一部となることができる。
【００５１】
同期ユニット１０４は、少なくとも２つの部分的な参照シーケンス１１２＿１から１１２＿ｎのそれぞれについての部分的な相関結果１１６＿１から１１６＿ｎを得るために、パイロット・シーケンス１０８を少なくとも２つの部分的な参照シーケンス１１２＿１から１１２＿ｎ（ｎは２以上の自然数とすることができる）と個別に相関させるように構成されている。ここで、同期ユニット１０４は、データ・パケット１０６についての粗い相関結果１１８を得るために部分的な相関結果１１６＿１から１１６＿ｎを非コヒーレントに加算するように構成されている。
【００５２】
例えば、同期ユニット１０４は、受信ユニット１０２によって提供されるデータ・ストリームを少なくとも２つの部分的な参照シーケンス１１２＿１から１１２＿ｎまでと個別に相関させるように構成されることができる。
【００５３】
少なくとも２つの部分的な参照シーケンス１１２＿１から１１２＿ｎのそれぞれは、データ・パケットのパイロット・シーケンス１０８よりも短くあることができる。
【００５４】
少なくとも２つの部分的な参照シーケンス１１２＿１から１１２＿ｎは、データ・パケット１０６のパイロット・シーケンス１０８についての参照シーケンス１１４に対応することができる。すなわち、少なくとも２つの部分的な参照シーケンス１１２＿１から１１２＿ｎは、データ・パケットのパイロット・シーケンス１０８についての参照シーケンス１１４の一部となることができる。トランスミッタとレシーバ１００との間の理想的なコミュニケーション・チャンネルを仮定すると、参照シーケンス１０８とパイロット・シーケンスとは、同じである。少なくとも２つの部分的な参照シーケンス１１２＿１から１１２＿ｎのそれぞれは、参照シーケンス１１４よりも短くあることができる。例えば、参照シーケンス１１４は、少なくとも２つの（又はｎの）部分的な参照シーケンス１１２＿１から１１２＿ｎを得るために、少なくとも２つの（又はｎの）部分（又は集合）へ分けられることができる。すなわち、参照シーケンス１１４の第１部分は、少なくとも２つの部分的な参照シーケンス１１２＿１から１１２＿ｎの第１であり、参照シーケンス１１４の第２部分は、少なくとも２つの部分的な参照シーケンス１１２＿１から１１２＿ｎの第２であり、以下同様である（該当する場合）。
【００５５】
同期ユニット１０４は、部分的な相関結果の絶対値、２乗された絶対値又は近似絶対値を加算することによって部分的な相関結果を非コヒーレントに加算するように構成されることができる。
【００５６】
パイロット（又はパイロット・シンボルのシーケンス（パイロット・シーケンス））は、データ・パケット又はサブパケットの範囲内で送信されることができる。パイロットは、パケット、時間同期及び周波数同期の検出のうちの少なくとも１つについて使用されることができる。
【００５７】
図２ａから図２ｆまでの以下の議論から明らかになるであろうように、サブパケットの範囲内でパイロットの位置決めのための異なる方法が存在する。
【００５８】
図２ａは、一実施形態によるデータ・パケット（サブパケット）１０６の概略図を示す。データ・パケット１０６は、パイロット・シーケンス１０８と、パイロット・シーケンス１０８の前後に配置された２つのデータ・シーケンス１１０と、を含む。データ・パケット１０６のシンボルは、複素ベクトル図を用いて示される。すなわち、各矢印は、データ・パケットを送信するために用いられる変調方法の１つのシンボルを図示することができる。
【００５９】
図２ａに示されるように、実施形態において、パイロット・シーケンス１０８は、少なくとも２つの部分的なパイロット・シーケンス１０８＿１から１０８＿ｎを含むことができる。すなわち、パイロット・シーケンス１０８は、少なくとも２つの部分的なパイロット・シーケンス１０８＿１から１０８＿ｎに分離されることができる。これによって、部分的なパイロット・シーケンス１０８＿１から１０８＿ｎのそれぞれは、対応する部分的な参照シーケンス１１２＿１から１１２＿ｎを有することできる。例えば、第１の部分的な参照シーケンス１１２＿１は、対応する第１の部分的なパイロット・シーケンス１０８＿１を有することができ（すなわち、第１の部分的なパイロット・シーケンス１０８＿１を第１の部分的な参照シーケンス１１２＿１と相関させるとき、相関ピークが最大化される。）、第２の部分的な参照シーケンス１１２＿２は、対応する第２の部分的なパイロット・シーケンス１０８＿２を有することができ（すなわち、第２の部分的なパイロット・シーケンス１０８＿２を第２の部分的な参照シーケンス１１２＿２と相関させるとき、相関ピークが最大化される。）、以下同様である（該当する場合に）。
【００６０】
図２ｂは、一実施形態によるデータ・パケット（サブパケット）１０６の概略図を示す。データ・パケット１０６は、２つの部分的なパイロット・シーケンス１０８＿１及び１０８＿２と、２つの部分的なパイロット・シーケンス１０８＿１及び１０８＿２の間に配置されたデータ・シーケンス１１０と、を含む。データ・パケット１０６のシンボルは、複素ベクトル図を用いて示されている。すなわち、各矢印は、データ・パケットを送信するために用いられる変調方法の１つのシンボルを図示することができる。
【００６１】
図２ｃは、一実施形態によるデータ・パケット（サブパケット）１０６の概略図を示す。データ・パケット１０６は、２つの部分的なパイロット・シーケンス１０８＿１及び１０８＿２と、２つの部分的なパイロット・シーケンス１０８＿１及び１０８＿２の間に配置されたデータ・シーケンス１１０と、を含む。これによって、第２の部分的なパイロット・シーケンス１０８＿２は、第１の参照シーケンス１０８＿１よりも（例えば２倍）長い。データ・パケット１０６のシンボルは、複素ベクトル図を用いて示されている。すなわち、各矢印は、データ・パケットを送信するために用いられる変調方法の１つのシンボルを図示することができる。
【００６２】
図２ｄは、一実施形態によるデータ・パケット（サブパケット）１０６の概略図を示す。データ・パケット１０６は、２つの部分的なパイロット・シーケンス１０８＿１及び１０８＿２と、２つの部分的なパイロット・シーケンス１０８＿１及び１０８＿２の前、後及び間に配置された３つのデータ・シーケンス１１０と、を含む。データ・パケット１０６のシンボルは、複素ベクトル図を用いて示されている。すなわち、各矢印は、データ・パケットを送信するために用いられる変調方法の１つのシンボルを図示することができる。
【００６３】
図２ｅは、一実施形態によるデータ・パケット（サブパケット）１０６の概略図を示す。データ・パケット１０６は、２つの部分的なパイロット・シーケンス１０８＿１及び１０８＿２と、２つの部分的なパイロット・シーケンス１０８＿１及び１０８＿２の前、後及び間に配置された３つのデータ・シーケンス１１０と、を含む。データ・パケット１０６のシンボルは、複素ベクトル図を用いて示されている。すなわち、各矢印は、データ・パケットを送信するために用いられる変調方法の１つのシンボルを図示することができる。データ・パケット１０６のシンボルは、複素ベクトル図を用いて示されている。すなわち、各矢印は、データ・パケットを送信するために用いられる変調方法の１つのシンボルを図示することができる。
【００６４】
図２ｆは、一実施形態によるデータ・パケット（サブパケット）１０６の概略図を示す。データ・パケット１０６は、２つの部分的なパイロット・シーケンス１０８＿１及び１０８＿２に分離される（又はレシーバ１００によって分離されることができる）パイロット・シーケンス１０８からなる。データ・パケット１０６のシンボルは、複素ベクトル図を用いて示されている。すなわち、各矢印は、データ・パケットを送信するために用いられる変調方法の１つのシンボルを図示することができる。
【００６５】
パイロット１０８は、データ・パート１１０と同様の変調方式を使用する必要はないが使用することができる。各データ・パケット１０６のパイロット１０８は、少なくとも２つの部分、ここでは例えばｐ１（１０８＿１）及びｐ２（１０８＿２）に分割されることができる。少なくとも２つの部分ｐ１（１０８＿１）及びｐ２（１０８＿２）は、時間的に分離される必要はないが、時間的に分離されることができる。ｐ１（１０８＿１）及びｐ２（１０８＿２）の時間にわたる信号は、レシーバ１００に知られることができる。レシーバ１００で受信された信号は、ノイズのようなチャンネル障害によって影響されることができる。トランスミッタ及びレシーバ１００によって使用される結晶のオフセットのために、受信信号の正確な時間、周波数オフセットおよび位相オフセットは、最初はレシーバ１００に知られていない。
【００６６】
信号を検出するために、レシーバ１００は、受信信号に対して全体信号ｐ１（１０８＿１）及びｐ２（１０８＿２）の相互相関を実行することができる。周波数オフセットの存在において、このことは、相関ピークを減少する。
【００６７】
EP 2 914 039 A1は、図３の議論から明らかになるように、これらの効果を減少するためにサブパケット・バージョンを使用することを提案する。
【００６８】
詳細には、図３は、EP 2 914 039 A1によるデータ・パケット１０６の同期の概略図を示す。受信されたデータ・パケット１０６は、図２ｂで示されるデータ・パケット１０６に対応する。しかし、データ・パケット１０６は、周波数オフセットによって影響される。このことは、図３においてデータ・パケットのシンボルを説明するために用いられるベクトルの回転によって示されている。
【００６９】
さらに、図３において、参照シーケンス（又は相関シーケンス）１１２＿１及び１１２＿２と、参照シーケンス（又は相関シーケンス）１１２＿１及び１１２＿２をデータ・パケット１０６と相関させることによって得られる相関積１１５＿１および１１５＿２と、全ての積にわたる合計としての相関結果１１８と、は示されている。これによって、相関ピークの長さは、周波数オフセットにより減少される。
【００７０】
より大きな周波数オフセットについては、図２ａで示されるサブパケットの相関ピークでさえも、重要な方法で低減されることができる。
【００７１】
＜結合された部分的なプリアンブル相関の検出＞
図３とは対称的に、実施形態は、結合された部分的なプリアンブル相関（ｃｐｐｃ）の検出を提供する。これによって、小さなサブパケットの範囲内で少なくとも２つの受信された部分的なプリアンブル・パート（ｒｐ１、ｒｐ２、…）の非コヒーレントな結合は、使用されることができる。
【００７２】
例えば、いくつかの実施形態は、ＣＤＭＡ検出のためのコード整合フィルタ出力の非コヒーレントな結合を提案する。データの長いストリームにおいて、単一のＣＤＭＡシンボルの複合的な整合フィルタ出力は、結合されることができる。
【００７３】
さらに、実施形態は、周波数ホップ拡散スペクトル・システムの単一のホップの相関結果の非コヒーレントな結合の異なる方法を提案する。単一のホップの相関結果は、結合されることができる。
【００７４】
以下の議論から明らかになるように、第１に、サブパケット（又はＨＯＰ）レベル上の非コヒーレントな結合は、使用されることができ（図４参照）、そして第２に、全体的な結果への既に結合されたサブパケット・レベル結果の結合は、使用されることができる。
【００７５】
図４は、一実施形態によるデータ・パケット１０６の同期の概略図を示す。受信されたデータ・パケット１０６は、図２ｂに示されるデータ・パケット１０６に対応する。しかしながら、データ・パケット１０６は、周波数オフセットに影響され、このことは、図４においてデータ・パケットのシンボルを記述するために用いられるベクトルの回転によって示されている。
【００７６】
さらに、図４において、少なくとも２つの部分的な参照シーケンス（又は相関シーケンス）ｒｐ１（１０８＿１）及びｒｐ２（１０８＿２）と、少なくとも２つの部分的な参照シーケンス（又は相関シーケンス）１０８＿１及び１０８＿２をデータ・パケット１０６と相関させることによって得られる相関積ｃｐ１（１１５＿１）及びｃｐ２（１１５＿２）と、個別の相関積ｃｐ１（１１５＿１）及びｃｐ２（１１５＿２）を合計すること（例えば、等式ｃｐ１＝ｒｐ１＊ｃｏｎｊ（ｐ１）及びｃｐ２＝ｒｐ２＊ｃｏｎｊ（ｐ２）を使用すること）によって得られる部分的な相関結果ｃ１（１１６＿１）及びｃ２（１１６＿２）と、そして、部分的な相関結果ｃ１（１１６＿１）及びｃ２（１１６＿２）を非コヒーレントに加算することによって得られるデータ・パケット１０６についての粗い相関結果ｓｐｍ（１１８）と、は示されている。
【００７７】
言い換えれば、図４に示されるように、第１の部分的な参照シーケンスｐ１（１１２＿１）及び第２の部分的な参照シーケンスｐ２（１１２＿２）と第１の部分的なパイロット・シーケンスｒｐ１（１０８＿１）及び第２の部分的なパイロット・シーケンスｒｐ２（１０８＿２）との相関は、それぞれ実行される。このことは、部分的な相関結果ｃ１（１１６＿１）及びｃ２（１１６＿２）に帰着する。
【００７８】
さらに、ａｂｓ（）のような非線形演算、ａｂｓ（）の近似値、又は、任意の他の非線形演算は、サブパケットの部分的なプリアンブル・パートの部分的な相関結果ｃ１（１１６＿１）及びｃ２（１１６＿２）、又は、理想的なネイマン−ピアソン検出器の任意の近似値に適用されることができる。このことは、値Ｌ１及びＬ２に帰着する。値の加算は、サブパケット・プリアンブル・メトリックｓｐｍ＝Ｌ１＋Ｌ２に帰着する。周波数オフセットが存在する場合にｓｐｍ＝Ｌ１＋Ｌ２は、図２ａに示されるサブパケットについてさえ、直接的な相関ｃｄｉｒｅｃｔ＝ａｂｓ（ｃ１＋ｃ２）に関して、より長い。
【００７９】
このことは、次の利点を提供する。方法は、周波数オフセットに対するロバストである。トランスミッタとレシーバとの間の大きな結晶オフセットの存在下において、プリアンブルを発見するために、より少ないサブバンドは検索されなければならない。
【００８０】
既に述べたように、データ・パケット１０６は、複数のデータ・パケット（又はサブ・パケット）に分離されて送信されるテレグラムの部分となることができる。
【００８１】
受信ユニット１０２は、少なくとも２つのデータ・パケット１０６を受信するように構成されることができる。ここで、少なくとも２つのデータ・パケット１０６のそれぞれは、パイロット・シーケンス１０８を含み、少なくとも２つのデータ・パケット１０６は、少なくとも２つのデータ・パケット１０６に分離されて送信されるテレグラムの一部である。同期ユニット１０４は、少なくとも２つのデータ・パケット１０６のそれぞれについての少なくとも２つの部分的な参照シーケンスｐ１（１１２＿１）及びｐ２（１１２＿２）のそれぞれについての部分的な相関結果ｃ１（１１６＿１）及びｃ２（１１６＿２）を得るために、少なくとも２つのデータ・パケットのそれぞれのパイロット・シーケンス１０８を対応するデータ・パケット１０６のパイロット・シーケンスについての参照シーケンスに対応する少なくとも２つの部分的な参照シーケンスｐ１（１１２＿１）及びｐ２（１１２＿２）と個別に相関させるように構成されることができる。さらに、同期ユニット１０４は、少なくとも２つのデータ・パケット１０６のそれぞれについての粗い相関結果ｓｐｍ（１１８）を得るために少なくとも２つのデータ・パケット１０６のそれぞれについての部分的な相関結果ｃ１（１１６＿１）及びｃ２（１１６＿２）を非コヒーレントに加算するように構成されることができる。さらに、同期ユニット１０４は、テレグラムについての粗い相関結果を得るために、少なくとも２つのデータ・パケット１０６の粗い相関結果ｓｐｍ（１１８）を結合するように構成されることができる。
【００８２】
言い換えれば、サブパケットの粗い相関結果ｓｐｍ（１１８）（それは１つの部分的な相関のみに基づくこともできる）は、テレグラム・プリアンブル・メトリック（又はテレグラムについての粗い相関結果）ｔｐｍに結合されることができる。結合は、例えば、単一の合計によって、又は、理想的なネイマン−ピアソン検出器の他の近似値によって実行されることができる。
【００８３】
これは、より少ない計算能力が必要とされるという利点を有する。
【００８４】
例えば、図２ａに示されるサブパケット・バージョンａ）の１５倍及び図２ｂに示されるサブパケット・バージョンｂ）の１５倍のような、各サブパケットにおける２つの部分的なプリアンブルを有する３０個のサブパケット、は、使用されることができる。各時間ステップで唯一の合計を使用すると、６０個の加算、すなわち、２つの部分的なプリアンブルが乗算された３０個のサブパケットは、必要とされる。仮に、提案されるように、２つの連続する合計が使用される場合に、計算能力は、減少されることができる。各時間ステップにおいて、サブパケット・バージョンａ）にわたるｓｐｍとサブパケット・バージョンｂ）にわたる１つの合計とは、計算されることができる。結果的なｓｐｍ  ａ）およびｓｐｍ  ｂ）は、メモリに保存されることができる。それから、予め計算されたｓｐｍ  ａ）及びｓｐｍ  ｂ）にわたる合計は、メモリに保存された値に従って計算されることができる。その場合、予め計算されたものについての唯２個の加算と最終合計についての３０個の加算とは、必要とされる。
【００８５】
同期ユニット１０４は、テレグラムについての粗い相関結果が所定の閾値を超える場合に、少なくとも２つのデータ・パケット１０６のそれぞれについての細かな相関結果を得るために少なくとも２つのデータ・パケット１０６のそれぞれについての部分的な相関結果ｃ１（１１６＿１）及びｃ２（１１６＿２）をコヒーレントに加算するように更に構成されることができる。さらに、同期ユニット１０４は、テレグラムについての細かな相関結果を得るために、少なくとも２つのデータ・パケットの細かな相関結果を結合するように構成されることができる。
【００８６】
言い換えれば、非コヒーレントな加算を有する第１の検索（又は段階）は、コヒーレントな加算を有する第２の検索（又は段階）に結合されることができる。
【００８７】
１つのサブパケットの少なくとも２つの同期部分の非コヒーレントな加算を有する前述の技術は、使用されることができる。その後、全てのサブパケットにわたる合計は、計算されることができる。この値は、閾値と比較されることができ、その値が閾値を上回る場合に第２の相関は、行われることができる。
【００８８】
第２の段階は、サブパケットの内側にある又はテレグラムの全てのホップにわたる全ての部分のコヒーレントな加算を有する相関を計算することができる。このことは、多数の異なる仮説的な周波数オフセットについての仮説テストとして行われる。準相関結果のコヒーレントな加算から得られる値も、閾値に対して比較される。その値が検出範囲内にある場合に、パケットの始まりは、検出される。第１の段階（非コヒーレントな加算）は、粗い周波数オフセットを生じ、粗い周波数オフセットは、第２の段階について必要となる。第２の段階は、より正確な周波数オフセットを提供し、より正確な周波数オフセットは、次のデコーダに使用されることができる。
【００８９】
この技術は、２段階の検出を必要とする。第２の相関は、第１の相関よりも遥かに周波数感度がよく、したがって必要とされる異なる周波数オフセットに関するより多くの計算が生じる。計算能力を減少するために、第１の段階がパケットを検出する場合にのみ、第２の相関は、行われる。したがって、計算能力の増大は、とても低い。
【００９０】
この技術は、細かな推定された周波数オフセットを提供し、細かな推定された周波数オフセットは、デコーダに有益である。デコーダは、計算能力を節約する。なぜなら、それは、周波数オフセットを再び計算する必要がないからである。
【００９１】
＜ヘッダ情報のシグナリングのためのパイロットの使用＞
以下では、ヘッダ情報のシグナリングのためにパイロットを使用する実施形態を説明する。
【００９２】
データ・パケット１０６は、パイロット・シーケンス１０８の位相シフトにおいて符号化されたヘッダ情報を含むことができる。レシーバ１００は、データ・パケット１０６の推定された周波数オフセットを使用してデータ・パケットに周波数補正を適用することとパイロット・シーケンスの位相シフトを推定することとによってデータ・パケットからヘッダ情報を抽出するように構成されたヘッダ抽出ユニットを備えることができる。
【００９３】
結合された部分的なプリアンブル相関（ｃｐｐｃ）又は他の方式が使用される場合に、プリアンブル検出器のパフォーマンスは、完全に感受性がないか、または、送信された部分的なパイロット・シーケンスｐ１（１０８＿１）及びｐ２（１０８＿２）の位相回転に対する忍耐強い方法で感受性がない。
【００９４】
トランスミッタは、部分的なパイロット・シーケンスｐ１（１０８＿１）及びｐ２（１０８＿２）に［−ｐｉ，ｐｉ］の範囲の任意の位相シフトｐｈｉを加算することができる。
【００９５】
提案されたシフト方式は、他にもある。
‐  ｐ１’＝ｐ１＊ｅｘｐ（２＊ｐｉ＊ｐｈｉ），ｐ２’＝ｐ２＊ｅｘｐ（−２＊ｐｉ＊ｐｈｉ）、すなわち、ｐ１とｐ２とは、反対方向にシフトされる。
‐  ｐ１’＝ｐ１，ｐ２’＝ｐ２＊ｅｘｐ（−２＊ｐｉ＊ｐｈｉ）、すなわち、ｐ２のみが、シフトされる。
‐  ｐ１’＝ｐ１＊ｅｘｐ（２＊ｐｉ＊ｐｈｉ），ｐ２’＝ｐ２、すなわち、ｐ１のみが、シフトされる。
ここで、ｐ１’は、ｐ１の位相シフトバージョンであり、ｐ２’は、ｐ２の位相シフトバージョンの位相である。
【００９６】
さらに、説明された方式の結合は、可能である。全ての差動位相変調方式は、使用されることができる。位相シフトは、フォワード・エラー補正（ＦＥＣ）がトランスミッタ・コード・シンボルｃに帰着する状態で送信ｂされるべきヘッダ・ビットを符号化することによって部分的なパイロット・シーケンス／サブパケットの全て又はサブセットについて計算されることができる。Ｇｏｌａｙ  Ｃｏｄｅｓ、ＢＣＨ  Ｃｏｄｅｓ、Ｃｏｎｖｏｌｕｔｉｏｎａｌ  ｃｏｄｅ又はＴｕｒｂｏ  Ｃｏｄｅｓ又はＬＤＰＣ  Ｃｏｄｅｓ又は他の符号は、使用されることができる。コード・シンボルは、部分的なパイロット・シーケンス／サブパケットｉについてインデックスｉを有する位相シフトｐｈｉ＿ｉにマップされることができる。
【００９７】
（プリアンブルが変調されたＭＳＫ／ＧＭＳＫである場合のｐ１からｐ２までの位相オフセットの生成）
次に、ＭＳＫ（ＭＳＫ＝ｍｉｎｉｍｕｍ  ｓｈｉｆｔ  ｋｅｙｉｎｇ）又はＧＭＳＫ（ＧＭＳＫ＝Ｇａｕｓｓｉａｎ  ｆｉｌｔｅｒｅｄ  ｍｉｎｉｍｕｍ  ｓｈｉｆｔ  ｋｅｙｉｎｇ）変調プリアンブル１０８の部分的なパイロット・シーケンスｐ１（１０８＿１）及びｐ２（１０８＿２）の位相オフセットの生成は、説明される。
【００９８】
システムがパケットについてＭＳＫ又はＧＭＳＫ変調を使用する場合に、トランスミッタは、部分的なパイロット・シーケンスｐ１（１０８＿１）又はｐ２（１０８＿２）についての位相オフセットを導入するために容易に採用されることができる。さらに、ｐ２に集中する。
【００９９】
差動ＭＳＫ／ＧＭＳＫが使用される場合に、ｐ２の第１のビットは、反転されることができ、かつ／又は、ｐ２の後のデータ部分の第１のシンボルは、存在する場合に、反転されることができる。
【０１００】
予め符号化されたＭＳＫ／ＧＭＳＫが使用される場合に、ｐ２の全てのシンボルは、反転されることができる。
【０１０１】
（受信された位相シフトの復号化）
レシーバ１００（又は同期ユニット１０４）は、次のことにより構成されることができる。：
１．部分的なプリアンブルの検査（例えば、ｃｐ１及びｃｐ２における受信シンボルの位相差が分析されることができる）によって受信信号の周波数オフセットｆ＿ｒのおおよその推定を実行すること
２．おおよその周波数補正ｒｐ１’＝ｒｐ１＊ｅｘｐ（−２＊ｐ＊ｆ＿ｒ）及びｒｐ２’＝ｒｐ２＊ｅｘｐ（−２＊ｐ＊ｆ＿ｒ）を実行すること
３．ｒｐ１’とｒｐ２’との間の位相オフセットｐｈｉ’を推定すること（例えば、ｐｈｉ’＝ａｒｇ（ｃ１＊ｃｏｎｊ（ｃ２））の計算を行うことによって、おおよその周波数補正が十分でありｐｈｉ’がほとんどの場合に位相の曖昧さを伴うことなく推定されることができるように、ｐ１及びｐ２のデザインが予め形成されることができることを注釈する）
４．送信されたｐｈｉ＿ｉの対数見込みＩＩｒ＿ｉ又は簡易推定を計算すること
５．チャンネル・デコーダによってＩＩｒ＿ｉの中から送信されたヘッダ・ビット・ベクトルｈ＿ｅを復号化すること
【０１０２】
（プリアンブルにおける送信された位相オフセットの除去）
ベクトルｈ＿ｅがレシーバで復号化されたとき、それは、再び符号化されることができる。このことは、位相オフセットｐｈｉ＿ｅ＿ｉのリストを与える。
【０１０３】
この位相オフセットｐｈｉ＿ｅ＿ｉは、受信信号において受信された部分的なプリアンブル（ここではｒｐ２）の位相シフトを除去するために用いられることができる。したがって、デコーダは、ヘッダ情報の送信を伴わない方法と同様の方法で受信されたサブパケットを復号化することを継続することができる。
【０１０４】
＜干渉ロバスト検出＞
送信は、通常、免許不要バンド（例えば、ＩＳＭ（ＩＳＭ＝工業、化学および医療（ｉｎｄｕｓｔｒｉａｌ,  ｓｃｉｅｎｔｉｆｉｃ  ａｎｄ  ｍｅｄｉｃａｌ））バンド）で行われ、かつ／又は、センサ・ノードは、基地局で同期されない。それゆえに、同じタイム・スロットを使用する他のシステムとの干渉は、発生する。システムが基地局と同期されない場合に、他のセンサ・ノードとの干渉も、発生する。
【０１０５】
この干渉は、レシーバにおける検出のパフォーマンスに消極的な影響を与える。一方では、それは、メイン・ローブの相関の相関結果を減少することができ、他方では、それは望まれないサイド・ローブを増大する。これらのサイド・ローブは、７の長さを有するバーカー・コードについて図５に示されている。サイド・ローブは、ピークであり、それは、自己相関関数の中間にはなく、０に等しくない。
【０１０６】
サイド・ローブでの誤検出を避けるために、閾値は、最も高いサイド・ローブよりも大きくなければならない。
【０１０７】
自己相関関数１３において、値は、計算される。その結果、１つのタイム・スロットは、１つのシンボル・タイムに等しい。より多くのタイム・スロット（例えば、１／２シンボル・タイムに等しい１つのタイム・スロット）又はより少ないタイム・スロット（２つのシンボル・タイムに等しい１つのタイム・スロット）を使用することも、可能である。
【０１０８】
レシーバでの強力な能力を有する干渉子が空中にある場合、相関結果は、このタイム・スロットでのほとんどの場合において、非常に高く、そして、誤検出は、発生し得る。このことは、図６に示されている。干渉子は、相関結果を増大し、「干渉ピーク」を生じる。その結果、値は、所定の閾値を上回り、誤検出に繋がる。
【０１０９】
干渉子の場合にかつ／又は非理想的な相関シーケンスについて、誤検出の数を減少するためのいくつかの技術は、存在する。そして、それらは、以下で説明される。それらは、スタンドアローンで使用されることができ、または、それらは、より良い結果を達成するために結合されて使用されることができる。
【０１１０】
（正規化）
望まれる信号の使用されるバンドにおいて干渉子が発生する場合、送信されたシンボルの歪は、発生する可能性がある。この場合における歪は、干渉子の送信時間の間の各シンボル上での任意の位相及び振幅オフセットである。
【０１１１】
そのような干渉子の影響を減少するために、正規化が行われる。この非線形演算は、１つのサブパケット、テレグラムにわたる又は各送信されたシンボルの能力に等しい。
【０１１２】
言い換えれば、サブパケット・ワイズ正規化のために、例えば、１つのサブパケットの長さにわたる平均能力は、計算される。この計算は、各タイム・スロットについて個別に行われる。Ｐｍｅａｎ［ｍ］＝ｓｕｍ（Ｐｉｎ）／Ｎ  （Ｐｉｎは、サブ・パケット長さの内側にあるシンボルの能力である。Ｎは、シンボルの中の１つのサブパケットの長さである。ｍは、各タイム・スロットについてのインデックスである。）
【０１１３】
この値は、従うタイム・スロットの内側にある１つのサブパケットの長さの全てのシンボルに適用される。例えば、各シンボルの受信能力は、１つのサブパケット（Ｐｏｕｔ［ｋ］＝Ｐｉｎ［ｋ］／Ｐｍｅａｎ［ｍ］，ｋ＝サブパケット長さの内側にあるシンボル数）の平均能力によって分けられる。
【０１１４】
図７ａは、２つの部分的なパイロット・シーケンス１０８＿１及び１０８＿２とデータ・シーケンス１１０とを有するデータ・パケット１０６の概略図を示す。ここで、データ・パケット１０６は、長い干渉子１３０によってオーバーレイされる（又は重ねられる）。図７ｂは、図７ａの３つのタイム・スロットのそれぞれについて経時的にプロットされた受信能力および正規化された受信能力を示す。
【０１１５】
詳細には、図７ａ及び図７ｂは、３つの異なるタイム・スロットを有する、この技術についての例を示す。各タイム・スロットについてシンボルにおける１つのサブパケットの長さは、カットされる。第２のタイム・スロットは、完璧なものを示す。ここでサブパケットの全てのシンボルは、カット・エリアの内側にある。第１の及び最後のものは、早すぎ又は遅すぎる。
【０１１６】
全ての３つのタイム・スロットに関して、干渉子は、全体時間でアクティブであり、干渉子の能力がシンボル能力よりもはるかに高いことは、想定される。受信能力（使用されるバンドにおける信号と干渉子との和の合計）は、図７ｂにおける全ての３つの場合においてライン１３２として示されている。
【０１１７】
カットの後、上述の等式を有する平均能力は、各タイム・スロットについて計算される。各タイム・スロットにおいて、各シンボルは、上記等式で記述されるこの平均能力値によって分けられる。それゆえ、各タイム・スロットにおける平均能力は、現在１に等しい。空中での送信の間干渉子が存在しない場合に、正規化の後の平均能力も、１に等しい。完全に干渉されたサブパケットの影響は、現在、干渉子を伴わないものと同じである。正規化された受信能力は、図７ｂの全ての３つの場合においてライン１３４として示されている。
【０１１８】
正規化値の計算について、１つのサブパケットの長さよりも長く、例えば、２つのサブパケットの長さで、カットすることも、可能である。この場合も、サブパケットの前後の長さの１／２をカットする。正規化値の計算に使用される長さが長くなればなるほど、短い干渉子に対する結果は、良くなる。短い干渉子は、そのエリアの内側にあるシンボルのサブセットのみを増大し、計算に使用される。シンボルの小さなサブセットのみが干渉される場合に、これらのシンボルの影響は、非常に低い。
【０１１９】
この方法は、干渉子の期間が１つのサブパケットの期間よりもはるかに大きい場合に、うまく機能する。その期間が、サブパケット期間と同じ領域内にあるか又はサブパケット期間より短い場合に、この正規化は、不要な結果を生ずる。この問題は、図８ａ及び図８ｂにおける例で説明されている。
【０１２０】
図８ａは、２つの部分的なパイロット・シーケンス１０８＿１及び１０８＿２とデータ・シーケンス１１０とを有するデータ・パケット１０６の概略図を示す。データ・パケット１０６は、短い干渉子１３０によってオーバーレイされる（又は重ねられる）。図８ｂは、図８ａの３つのタイム・スロットのそれぞれについて経時的にプロットされた受信能力および正規化された受信能力を示す。受信能力（使用されるバンドにおける信号と干渉子との和の合計）は、図８ｂにおける全ての３つの場合でのライン１３２として示されている。正規化された受信能力は、図８ｂにおける全ての３つの場合でのライン１３４として示されている。
【０１２１】
図８ａ及び図８ｂに示すように、干渉子１３０は、アクティブなサブパケット期間の部分的な時間についてのみのものであり、それゆえ、全てのシンボルは、同じ受信能力を有している訳ではない。
【０１２２】
正規化ファクタは、このタイム・スロットにおける全てのシンボルにわたって計算される。その後、このファクタは、サブパケット長さの内側にある全てのシンボルに適用される。それゆえ、干渉されたシンボルは、正規化後にはるかに高い振幅を有する。
【０１２３】
第１のタイム・スロットにおいて、干渉子は、アクティブなシンボルの小さなサブセットについてのみのものであり、そして、正規化ファクタにおける干渉子能力の影響は、とても小さい。両方の他の場合において、干渉子の影響は、より高い。正規化は、このタイム・スロットの内側において平均能力分布を１にするために、このタイム・スロットにおける全てのシンボルを減少する。干渉されていないシンボルも、干渉されたシンボルとして減少される。その後、相関において正確なシンボルは、干渉されたシンボルよりも低く抑えられる。正規化後の出力は、図８ｂにおけるライン１３４で示されている。干渉されたシンボルが相関結果により多くの影響を有する場合に、誤検出は、発生する可能性がある。
【０１２４】
干渉子長さが未知であるか又はサブパケット上の期間よりもはるかに長くない場合に、シンボル・ワイズ正規化は、前述の問題を解決するために行われることができる。
【０１２５】
シンボル・ワイズ正規化は、正規化ファクタを除いて、サブパケット・ワイズ正規化と同じ方法で機能する。これらは、サブパケット長さの内側にある各シンボルについて個別に計算され、全体のサブパケット長さについてのみではない。図９ａ及び図９ｂは、この技術を示す。
【０１２６】
図９ａは、２つの部分的なパイロット・シーケンス１０８＿１及び１０８＿２とデータ・シーケンス１１０とを有するデータ・パケット１０６の概略図を示す。データ・パケット１０６は、短い干渉子１３０によってオーバーレイされる（又は重ねられる）。図９ｂは、図９ａの３つのタイム・スロットのそれぞれについて経時的にプロットされた受信能力および正規化された受信能力を示す。受信能力（使用されるバンドにおける信号と干渉子との和の合計）は、図９ｂにおける全ての３つの場合におけるライン１３２として示されている。正規化された受信能力は、図９ｂにおける全ての３つの場合におけるライン１３４として示されている。
【０１２７】
各シンボルは、同じ能力に対して、例えば、それ自身のシンボル能力で分けることによって、正規化される。さらにその上、相関の出力は、同期シーケンスの受信された位相にのみ依存する。
【０１２８】
相関において、全てのシンボルは、等しく抑えられ、干渉されたシンボルの効果は、正規化なしの場合よりも小さい。
【０１２９】
相関前に正規化を行うことの代わりに、相関積の正規化も、可能である。
【０１３０】
相関積は、各タイム・スロットにおいて、ｃｐ１＝ｒｐ１＊ｃｏｎｊ（ｐ１）を使用して導出されることができる。ｒｐ１は、受信された同期（又はパイロット）シーケンスであり、ｐ１は、既知の理想的な同期（又はパイロット）シーケンスであり、そして、ｃｐ１は、相関結果である。この技術は、全体のシーケンスにわたって１つの相関で行われることができ、または、前述のように、準相関で行われることができる。
【０１３１】
しかしながら、強いノイズ・インパルスもｃｐ１の高いレベルに繋がることができるので、出力信号ｃｐ１は、信号が存在するか否かにかかわらず明確な情報を提供することはできない。それゆえ、１つの可能性は、ｎｏｒｍ１＝ａｂｓ（ｒｐ１）＊ａｂｓ（ｐ１）によって出力信号の正規化を行うことである。
【０１３２】
正規化された出力は、ｃｐ１ｎｏｒｍ＝ｃｐ１／ｎｏｒｍ１によって与えられる。パイロット・シーケンス１０８が（以下において想定されている）一定の能力を有する場合に、ｃｐ１ｎｏｒｍの値は、０から１までの値をとることができる。１の値は、完全な相関を示す。信号ｐ１を含まない信号の場合に、ｃｐ１の絶対値は、常にｎｏｒｍ１よりも小さい。
【０１３３】
あるいは、ｎｏｒｍ１は、ｎｏｒｍ１＝ａｂｓ（ｒｐ１）＊ｃとして計算されることができる。ここで、ｃは、ｃｐ１ｎｏｒｍが最大値１に到達するように調整されることができる定数である。
【０１３４】
あるいは、ｎｏｒｍ１は、ｎｏｒｍ１＝ｓｑｒｔ（ａｂｓ（ｒｐ１＾２））＊２，又はｎｏｒｍ１＝ｓｑｒｔ（ａｂｓ（ｒｐ１）＊ａｂｓ（ｐ１））＾２）として計算されることができる。
【０１３５】
入力シンボルの正規化は、行われることができる。正規化は、非線形技術であり、例えば、絶対値又は能力は、使用される。次の干渉シナリオに依存する異なる技術は、存在する。
‐  サブパケット・ワイズ正規化
‐  テレグラム・ワイズ正規化
‐  シンボル・ワイズ正規化
【０１３６】
このことは、相関結果における干渉子の影響を減少する利点を有する。それゆえ、誤検出の数は、減少する。誤検出が生じた場合に、デコーダは、パケットを符号化しようとするが、ＣＲＣ（ＣＲＣ＝ｃｙｃｌｉｃ  ｒｅｄｕｎｄａｎｃｙ  ｃｈｅｃｋ）は、失敗する。誤検出の数が減少する場合に、使用されるＣＰＵ時間は、減少され、かつ、他のアプリケーションは、ＣＰＵ時間を使用することができ、または、デバイスの能力消費量は、低下する。
【０１３７】
（分散）
上述のように、パケット検出は、全ての同期シーケンスについて相関を計算し、全ての準相関の絶対値の加算は、出力を生ずる。１つのシーケンスのみが使用される場合に、シーケンスは、前述のようにサブ・パートに分割されることができる。相関値が所定の閾値を上回る場合に、新しいパケットは、検出される。この技術は、チャンネルにおいて干渉子が存在しない場合に、うまく機能する。
【０１３８】
もう一つの技術は、サブパケット相関の分散に基づく。離散的な有限の長さについての分散は、ｖａｒ＝１／ｎ＊ｓｕｍ（（ｘｉ−μ）2）によって計算されることができる。平均値は、μ＝１／ｎ＊ｓｕｍ（ｘｉ）によって計算されることができる。この場合に、ｎは、使用された準相関の数であり、μは、前に計算された平均値であり、ｘｉは、準相関ｉの相関結果である。
【０１３９】
部分的な相関結果は、受信能力に対して且つ相関部分の長さに対して正規化される。それゆえ、１つの準相関の相関結果は、０と１との間にある。
【０１４０】
信号にノイズも干渉子も適用されない場合に、完璧なタイム・スロットでの各準相関の相関は、同じ値を生じ、準相関の相関結果の間での分散は、観察されることがない。最適なタイムスロットは、自己相関関数の中間に存在し、ピークは、最も高い値を有する。他のタイム・スロットにおいて未知のデータによって引き起こされる高い分散は、存在する。
【０１４１】
分散の計算は、次の図におけるサブパケット・ワイズ相関についての例として示されている。
【０１４２】
チャンネル上にノイズが存在する場合に、完璧なタイム・スロットでの分散は、減少するＳＮＲとともに増大する。最大の分散は、可能性なかぎり最低のＳＮＲで到達されることができ、ここで、パケットは、復号化されたものを補正することができる。この値は、閾値として使用されることができる。計算された分散がこの閾値を下回る場合に、パケットは、検出される。
【０１４３】
この閾値は、パケット検出についてスタンドアローンに使用されることができ、又は、第１の段階の検出が誤りであったか否かの決定についての第２の段階として標準的な検出と一緒に使用されることができる。
【０１４４】
図１０は、コミュニケーション・チャンネルにわたる複数のデータ・パケット１０６に分離されて送信されるテレグラムの一部である複数のデータ・パケット（又はサブパケット、又はホップ）１０６と、全ての（又は少なくとも一部の）データ・パケット（サブパケット）１０６にわたる分散の計算の概略図と、を示す。図１０において、縦座標は、周波数を示し、横座標は、時間を示す。
【０１４５】
このアルゴリズムは、必然的に干渉から生じるのではない相関におけるサイド・ローブを検出するためにも使用されることができる。例えば、それらは、非理想的な相関シーケンスによって発生することができる。
【０１４６】
２つの段階での検出についての例として、初めに、相関は、正規化されたシンボルで計算されることができる。第１の段階がパケットを検出する場合に、検出されたタイム・スロットにおける全ての準相関の相関結果は、分散を計算するために使用されることができる。この分散が閾値よりも小さい場合に、パケット検出は、駆動させられる。
【０１４７】
典型的に、第１の段階の閾値は、サイド・ローブのピークより低く選択されることができる。閾値を上回る値が検出された場合に、分散は、計算されることができる。両方の値が検出範囲内にある場合にのみ、新しいパケットは、検出されることができる。
【０１４８】
全体のパケットについての相関は、準相関に分割されることができる。これらの準相関は、１つの相関シーケンスのみが全体のパケットの中にある場合に、使用されることもできる。この場合に、プリアンブルは、準相関について分割されることができる。全ての準相関にわたって、分散は、計算され閾値と比較されることができる。
【０１４９】
この技術の利点は、干渉された場合において誤検出されたパケットの数が減少されることである。さらにその上、閾値は、減少されることができ、このことは、低ＳＮＲ（ＳＮＲ＝信号対ノイズ比（ｓｉｇｎａｌ−ｔｏ−ｎｏｉｓｅ  ｒａｔｉｏ））についてのより良い検出レートをもたらす。
【０１５０】
（重み付けされた同期シンボル）
さらに、プリアンブル・シンボル（又はパイロット・シンボル）は、相関前に重み付けされることができる。３つの異なる技術が存在する：
−  全ての同期シンボルについてのウエイト・ファクタ
−  各サブパケット１０６についてのウエイト・ファクタ
−  各プリアンブル・パートについてのウエイト・ファクタ
【０１５１】
重み付けは、１つのサブパケットにわたる又は相関シーケンスの一部にわたる相関の後にも行われることができる。それゆえ、部分的な相関は、行われ、その後、ウエイト・ファクタで乗算される。
【０１５２】
一例として、ウエイト・ファクタは、タイム・スロットにおける想定された同期シンボル上の分散によって計算されることができる。または、ウエイト・ファクタは、タイム・スロットの内側にある全てのシンボルの能力分散から又は決定された信号対ノイズ比に基づいて得られることができる。
【０１５３】
相関が行われる前に、ウエイト・ファクタは、同期シンボルに適用されることができる。干渉された同期シンボルは、より低いウエイト・ファクタを有し、その結果、これらのシンボルは、相関結果により少ない影響を与える。
【０１５４】
図１１は、データ・パケット１０６のそれぞれが２つの部分的なパイロット・シーケンス１０８＿１及び１０８＿２を有し、各データ・パケット１０６についての部分的なパイロット・シーケンス１０８＿１及び１０８＿２のそれぞれに対して個別のウエイティング・ファクタを適用することによって実行されるパイロット・シーケンス１０８＿１及び１０８＿２の重み付けを３つのデータ・パケット１０６の概略図で示す。
【０１５５】
言い換えれば、図１１は、プリアンブル・パート・ワイズ重み付けについてのこの概念を示す。ファクタは、プリアンブル・パートにわたる合計と非線形演算の後に乗算される。重み付けは、相関前に行われる場合に、図の中の値は、絶対値の計算が行われる前に、ファクタで乗算される。
【０１５６】
唯１つの相関シーケンスが使用される場合に、このシーケンスは、サブ・シーケンスに分割されることができる。それゆえ、すべてのサブシーケンスは、固有のウエイト・ファクタを得る。
【０１５７】
同期シンボルは、ウエイト・ファクタで乗算されることができる。プリアンブル・パート・パートのみがシンボル・ワイズ重み付けの代わりに重み付けされることも、可能である。ウエイト・ファクタは、相関前に又は準相関の後に適用されることができる。
【０１５８】
このことは、干渉されたチャンネルにおいて誤検出の数が減少されることができるという利点を有する。それゆえ、レシーバの能力消費は、減少されることができる。
【０１５９】
（サイド・ローブ検出）
非理想的な相関シーケンスにより、サイド・ローブは、相関出力において発生する。これらのサイド・ローブは、決定論的であり、メイン・ローブから一定のオフセットした位置にある。レシーバは、相関シーケンスが既知である（レシーバにおいてほぼ常に既知である）場合に、これらの位置を計算することができる。
【０１６０】
このことは、次の図において示されており、そこで、メイン・ローブと２つのサイド・ローブとは、示されている。これらのサイド・ローブは、メイン・ローブよりも低いピークを有する。誤検出を避けるために、閾値は、最も大きなサイド・ローブ・ピークよりも高く設定されている。
【０１６１】
閾値が最も高いサイド・ローブ・ピークよりも低く設定されている場合に、誤検出は、発生する。この誤検出を避けるために、レシーバは、より高いピークが生じる場合に、既知のサイド・ローブ時間的距離において検索する。ＹＥＳである場合に、サイド・ローブは、検出され、そうでない場合に、レシーバは、メイン・ローブを既に発見してしまっている。
【０１６２】
これらのサイド・ローブは、異なる周波数オフセットも発生することもできる。レシーバは、異なる周波数オフセットで自己相関関数を行うことによってサイド・ローブを得る。
【０１６３】
図１２は、経時的にプロットされた相関出力の振幅を示す。言い換えれば、図１２は、典型的な相関出力を示す。横軸に時間がプロットされ、縦軸に相関出力が示されている。メイン・ローブ１３６、２つのサイド・ローブ１３８及びノイズ・フロア１４０は、図１２に示されている。
【０１６４】
サイド・ローブ相関値が相関におけるより早い段階で計算され、履歴に（又はメモリに）保存されることができるので、付加的な計算能力は、とても低い。
【０１６５】
サイド・ローブ検出は、行われることができる。閾値を上回る値が発見された場合に、サイド・ローブ距離における相関値は、実際の相関値と比較される。サイド・ローブ距離における値がより高い場合に、サイド・ローブ１３８は、検出される。さもなければ、メイン・ローブ１３６は、実際のタイム・スロットの中に存在する。
【０１６６】
このことは、検出のための閾値がサイド・ローブ１３８の最も高いピークの下に設定されることができるという利点を有する。これによって、改善された検出レートは、低い信号対ノイズ比についてさえも達成されることができる。サイド・ローブ検出を伴わない同じ閾値で比較すると、誤検出の数は、減少されることができる。
【０１６７】
（検出ウインドウ）
図１２に示したように、メイン・ローブ１３６の周辺で理想的な相関は、存在しない。このことは、非理想的な相関シーケンスによって、相関部分をデータ・パートに分割することによって、そして、干渉によって引き起こされる。それゆえ、誤検出を避けるために、閾値は、メイン・ローブ１３６を除く最も高い値にわたって設定されなければならない。メイン・ローブ１３６は、ノイズの多いチャンネルにおいて悪い検出パフォーマンスを生ずる。ＳＮＲが減少すると、相関結果の値は、低くなる。パケット検出は、相関値が所定の閾値を上回る場合にのみ、想定される。
【０１６８】
ノイズに対するより良いパフォーマンスを得るために、検出ウインドウは、導入されることができる。このウインドウは通常、メイン・ローブ１３６の前後の領域のサイズを有する。新しいパケット検出を直接的に駆動させる代わりに、閾値を上回る値が検出される場合に、ウインドウの内側にある最も高いピークは、検索される。パケット検出出力は、検出ウインドウの内側にある最も高いピークのインデックスが所定の値（検出インデックス）を得るまで、ブロックすることができる。相関値が閾値を上回りインデックスが所定の値で正確である場合に、パケット検出は、駆動されることができる。
【０１６９】
図１３は、そのような検出ウインドウを示す。この例において、検出ウインドウは、１１個の要素を有する。検出インデックスは、ウインドウの中間に設定される。
【０１７０】
図１４は、一実施形態による、検出ウインドウを使用してデータ・パケットを検出する方法１６０のフローチャートを示す。第１のステップ１６２において、タイム・スロット（インデックス）は、増加させられることができる。第２のステップ１６４において、相関は、実際のタイム・スロットについて計算されることができる。第３のステップ１６６において、（相関の）結果は、検出ウインドウに挿入されることができる。第４のステップ１６８において、検出ウインドウ内における最大値は、決定されることができる。第５のステップ１７０において、最大値が閾値よりも大きいか否かは、判定されることができる。最大値が閾値よりも大きくない場合に、第１のステップ１６２から第５のステップ１７０は、繰り返される。最大値が閾値よりも大きい場合に、第６のステップ１７２において、最大値のインデックスは、決定される。第７のステップ１７４において、インデックスが検出インデックスに等しいか否かは、判定される。インデックスが検出インデックスに等しくない場合に、第１のステップ１６２から第７のステップ１７４は、繰り返される。インデックスが検出インデックスに等しい場合に、第８のステップ１７６において、新しいパケットは、検出される。
【０１７１】
言い換えれば、図１４は、検出がどのように行われるかの概略を示す。検出が開始される前に、ウインドウは、生成され、初期値（例えば全ての値を０）に設定される。その後、連続的な検出は、開始される。
【０１７２】
第１のステップ１６２において、タイム・スロットのインデックスは、アップデートされる。その後（１６４）、実際のタイム・スロットにおける相関は、行われる。この相関について、上述の技術は、使用されることができ、または、全ての他の技術も、よく機能する。相関結果は、最新のタイム・インデックス１６６で検出ウインドウに保存される。それゆえ、最も古いものは、アレイから削除される（全ての値を１つ右にシフトし、左側に新しい値を挿入する）。
【０１７３】
図１５は、一実施形態による、データ・パケットを検出するために用いられる検出ウインドウ１７２および閾値１７１と、３つの異なるタイム・スロットについて経時的にプロットされた相関出力１７０の振幅と、を３つの図で示す。
【０１７４】
言い換えれば、図１５は、３つの異なるタイム・スロットでのこの方法を示す。第１の部分において、閾値を上回る値は、検出されることができ、それは、検出インデックスでのことではない。パケット検出がこのスロットにおいて行われる場合に、誤検出は、発生する。
【０１７５】
検出ウインドウ１７２において、最も高い値は、得られる。現在、このウインドウ１７２の内側の最も高い値が閾値を上回るかどうかは、証明される。
【０１７６】
これは、図１５において第１のタイム・スロットについての場合である。しかし、最も高い値のインデックスは、厳密に検出インデックスであらなければならない。検出インデックスは、第１の場合にあてはまらない。インデックスは、検出インデックスよりも大きいので、このピークは、検出インデックスでの少数のステップの中に存在する。このピークがそこに存在する場合に、パケット検出を駆動させることは、ウインドウの内側にある最も高い値でなければならない。検出インデックスにより近づくまで、他の相関値は、ウインドウに加算される。この例において、より高い相関値を有するので、最大値のインデックスは、検出インデックスに等しくない。
【０１７７】
第２の場合において、最も高い値は、検出インデックスで正確であり、値は、閾値を上回り、パケット検出は、想定される。
【０１７８】
最後の場合において、最大値インデックスは、ウインドウの中間を下回る。
【０１７９】
最大のインデックスは、検出インデックスよりも高い場合に、タイム・スロットは、検出に対して早すぎ、遅く検出されることとなる。値が検出インデックスよりも低い場合に、パケット検出は、すでに前から駆動されていた。
【０１８０】
検出ウインドウ１７２は、導入されることができる。閾値１７１を上回る値が検出された場合に、パケット検出は、即時に駆動されない。代わりに、パケット検出は、検出ウインドウ１７１の内側にある最大値のインデックスが所定の検出インデックスに到達するまで、ブロックされることができる。
【０１８１】
このことは、閾値が低く設定されることができるという利点を有し、より少ない誤検出レートを有する低ＳＮＲでより良い検出レートを生じる。
【０１８２】
（部分的な相関）
全ての準相関にわたる相関を計算することの代わりに、相関は、全ての相関シーケンスの一部にわたってのみ行われることができる。１つの相関シーケンスのみが使用される場合にも、この技術は、機能する。この場合に、相関シーケンスは、前述のようにサブ・パートに分割されることができる。
【０１８３】
図１６は、コミュニケーション・チャンネルにわたる複数のデータ・パケット１０６に分離されて送信されるテレグラムの一部である複数のデータ・パケット（又はサブパケット、又はホップ）１０６と３つのデータ・パケット（サブパケット）１０６にわたる部分的な相関の概略図とを示す。図１６において、縦座標は、周波数を示し、横座標は、時間を示す。
【０１８４】
言い換えれば、図１６は、サブパケット・ワイズ相関を有するこの技術についての一例を与える。全てのサブパケットにわたる相関を計算する代わりに、相関は、３つのサブパケットのみにわたって行われる。その後、サブセットの合計は、相関出力を生じる。
【０１８５】
閾値は、より少ない数の準相関に適合されることができる。
【０１８６】
残念なことに、最小化された相関シーケンスは、干渉子によって又はノイズによって引き起こされる誤検出についてのより高い可能性を有する。改善された（又は最高の）パフォーマンスを得るために、２つの段階決定は、使用される。第１の段階において、相関は、相関シーケンスのサブセットにわたって行われることができる。パケットが第１の段階において検出される場合に、第２の段階において、相関は、全ての相関部分にわたって行われることができる。第２の相関も閾値を上回る場合にのみ、パケット検出は、駆動されることができる。
【０１８７】
第１の段階の相関出力は、全体の相関の計算について使用されることができる。それゆえ、残りの相関シーケンスにわたる相関は、計算され、第１の段階の結果に加算される。
【０１８８】
相関は、同期シーケンスのサブセットにわたってのみ計算されることができる。パケットがこの方法によって検出される場合に、全てのシーケンスにわたる第２の相関は、行われることができる。
【０１８９】
このことは、アルゴリズムが全ての部分の相関を計算してはならないので、レシーバの消費能力が減少されることができるという利点を有する。準相関がパケットを検出する場合にのみ、全体の相関は、計算される。
【０１９０】
（方法）
図１７は、データ・パケットを受信する方法２００のフローチャートを示す。方法は、パイロット・シーケンスを含むデータ・パケットを受信するステップ２０２と、少なくとも２つの部分的な参照シーケンスについての部分的な相関結果を得るために、パイロット・シーケンスをデータ・パケットのパイロット・シーケンスについての参照シーケンスに対応する少なくとも２つの部分的な参照シーケンスと個別に相関させるステップ２０４と、データ・パケットについての相関結果を得るために部分的な相関結果を非コヒーレントに加算するステップ２０６と、を含む。
【０１９１】
装置の文脈においていくつかの態様が記述されているが、これらの態様が対応する方法の記述も表すことは、明らかである。ここで、ブロック又はデバイスは、方法ステップ又は方法ステップの特徴に対応する。類似的に、方法ステップの文脈において記述された態様も、対応するブロックもしくはアイテム又は対応する装置の特徴の記述を表す。いくつかの又は全ての方法ステップは、ハードウェア装置、例えばマイクロプロセッサ、プログラマブル・コンピュータ又は電子回路（を用いること）によって実行されることができる。いくつかの実施の形態において、１つ以上の最も重要な方法は、そのような装置によって実行されることができる。
【０１９２】
（更なる実施の形態）
図１８は、一実施形態によるレシーバ１００の概略的なブロック図を示す。レシーバ１００は、受信ユニット１０２と同期ユニット１０４とを備える。受信ユニット１０２は、データ・パケット１０６（例えば、少なくとも２つのデータ・パケット）を受信するように構成されており、データ・パケット１０６のうちの少なくとも２つ（例えば、少なくとも２つのデータ・パケットのそれぞれ）は、少なくとも２つの部分的なパイロット・シーケンスの部分的なパイロット・シーケンスを含む（レシーバが、部分的なパイロット・シーケンスを有さない付加的なデータ・パケットを受信してもよいことは、留意されたい）。
【０１９３】
例えば、受信ユニット１０２は、コミュニケーション・チャンネルにわたってトランスミッタからレシーバ１００へ送信された信号を受信し復調し、そして、それに基づき少なくとも２つのデータ・パケット１０６を含むデータ・ストリームを提供するように構成されることができる。
【０１９４】
少なくとも２つのデータ・パケット１０６のうちの第１のデータ・パケット１０６は、少なくとも２つの部分的なパイロット・シーケンス１０８＿１−１０８＿ｎのうちの第１の部分的なパイロット・シーケンス１０８＿１を含むことができ、第２のデータ・パケット１０６は、少なくとも２つの部分的なパイロット・シーケンス１０８＿１−１０８のうちの第２の部分的なパイロット・シーケンス１０８＿２を含むことができる。さらに、少なくとも２つのデータ・パケット１０６は、部分的なパイロット・シーケンス１０８＿１及び１０８＿２の前又は後に配置された１つ以上のデータ・シーケンス１１０を含むことができる。
【０１９５】
同期ユニット１０４は、少なくとも２つの部分的な参照シーケンス１１２＿１−１１２＿ｎのそれぞれについての部分的な相関結果１１６＿１−１１６＿ｎを得るために、部分的なパイロット・シーケンス１０８＿１−１０８＿ｎを少なくとも２つの部分的な参照シーケンス１１２＿１−１１２＿ｎと個別に相関させるように構成されている。ここで、同期ユニット１０４は、２つのデータ・パケット１０６についての粗い相関結果１１８を得るために部分的な相関結果１１２＿１−１１２＿ｎを非コヒーレントに加算するように構成されている。
【０１９６】
例えば、同期ユニット１０４は、第１の部分的な参照シーケンス１１２＿１についての部分的な相関結果１１６＿１を得るために、第１のデータ・パケット１０６の部分的なパイロット・シーケンス１０８＿１を第１の部分的な参照シーケンス１１２＿１と相関させるように構成されることができ、そして、第２の部分的な参照シーケンス１１２＿２についての部分的な相関結果１１６＿２を得るために、第２のデータ・パケット１０６の部分的なパイロット・シーケンス１０８＿２を第２の部分的な参照シーケンス１１２＿２と相関させるように構成されることができる。
【０１９７】
同期ユニット１０４は、部分的な相関結果１１６＿１−１１６＿ｎの絶対値、２乗された絶対値、近似絶対値又は任意の他の非線形演算を加算することによって部分的な相関結果１１６＿１−１１６＿ｎを非コヒーレントに加算するように構成されることができる。
【０１９８】
少なくとも２つの部分的な参照シーケンス１１２＿１−１１２＿ｎは、参照シーケンス１１４の少なくとも２つの異なる部分であることができる。ここで、少なくとも２つの部分的なパイロット・シーケンス１０８＿１−１０８＿ｎは、パイロット・シーケンス１０８の少なくとも２つの異なる部分であることができる。
【０１９９】
したがって、図１から図１６までに関して記述されたレシーバ１００の実施形態と比較して、少なくとも２つの部分的なパイロット・シーケンス１０８＿１−１０８＿ｎを含むデータ・パケット１０６の代わりに、データ・パケット１０６（例えば、少なくとも２つのデータ・パケット）、少なくとも２つの部分的なパイロット・シーケンスの部分的なパイロット・シーケンスを含むデータ・パケット１０６のうちの少なくとも２つ（例えば、少なくとも２つのデータ・パケットのそれぞれ）は、受信される。しかし、同期ユニット１０４の機能は、実質的に同じである。すなわち、部分的な相関結果１１２＿１−１１２＿ｎは、粗い相関結果１１８を得るために非コヒーレントに加算されることができる。少なくとも２つの更なるデータ・パケットが受信される場合に、同じ方法で、少なくとも２つの更なるデータ・パケットの部分的な相関結果は、少なくとも２つの更なるデータ・パケットについての粗い相関結果を得るために非コヒーレントに加算されることができる。さらに、少なくとも２つのデータ・パケットについての粗い相関結果と少なくとも２つの更なるデータ・パケットとは、結合された粗い相関結果を得るために結合されることができる。
【０２００】
図１から図１６までに関して示され説明されたレシーバの記述は、図１８に示されるレシーバにも適用されることができることは、明らかであり、その逆も可能である。
【０２０１】
図１９は、受信する方法２１０のフローチャートを示す。方法２１０は、データ・パケットのうちの少なくとも２つ（例えば、少なくとも２つのデータ・パケットのそれぞれ）が少なくとも２つの部分的なパイロット・シーケンスのうちの部分的なパイロット・シーケンスを含む、データ・パケット（例えば、少なくとも２つのデータ・パケット）を受信するステップ２１２と、少なくとも２つの部分的な参照シーケンスのそれぞれについての部分的な相関結果を得るために部分的なパイロット・シーケンスを少なくとも２つの部分的な参照シーケンスと個別に相関させるステップ２１４と、２つのデータ・パケットについての粗い相関結果を得るために部分的な相関結果を非コヒーレントに加算するステップ２１６と、を含む。
【０２０２】
（全般）
実施形態は、少量のデータ、例えばセンサ・データを、多数のノード、例えば加熱、電気又は水道メータから、既知の基地局へ送信するためのシステムに使用されることができる。基地局は、多数のノードを受信（そして可能であれば制御）する。基地局では、より多くの計算能力とより複雑なハードウェア、すなわち、より高いパフォーマンスを有するレシーバは、利用可能である。ノードにおいて、安価な結晶のみは、利用可能である。そして、安価な結晶は、一般的に１０ｐｐｍまたはそれ以上の周波数オフセットを有する。しかしながら、実施形態は、他のアプリケーション・シナリオにも適用されることができる。
【０２０３】
実施形態は、複数の最適化されたプリアンブル（又はパイロット・シーケンス）分割を提供する。複数の最適化されたプリアンブル（又はパイロット・シーケンス）分割は、干渉子ロバスト性を改善する。
【０２０４】
実施形態は、相関方法を提供する。相関方法は、周波数オフセットに対してロバストである。それによって、部分的な相関は、使用され、その後非コヒーレントに加算される。部分的な相関の非コヒーレントな加算は、プリアンブルにおける更なる情報、例えば長さ情報を送信するために使用されることができる。
【０２０５】
実施形態は、コミュニケーション・チャンネルが妨害された場合でも良いパフォーマンスでパケット検出を実行することが可能である複数の方法を提供する。これらの方法のうちのいくつかは、ノイズに関して付加的なゲインを可能にする。
【０２０６】
特定の実施形態の要求に依存して、本発明の実施形態は、ハードウェア又はソフトウェアにおいて実施されることができる。実施形態は、デジタル・ストレージ・メディア、例えば、フロッピー・ディスク、ＤＶＤ、ブルーレイ、ＣＤ、ＲＯＭ、ＰＲＯＭ、ＥＰＲＯＭ、ＥＥＰＲＯＭ又はフラッシュ・メモリを使用して実行されることができる。そして、デジタル・ストレージ・メディアは、その上に保存された電子的に読み取り可能な制御信号を有し、それぞれの方法が実行されるようにプログラマブル・コンピュータ・システムと協働する（又は協働可能である）。それゆえ、デジタル・ストレージ・メディアは、コンピュータ読み取り可能である。
【０２０７】
本発明によるいくつかの実施形態は、電子的に読み取り可能な制御信号を有するデータ・キャリアを備え、データ・キャリアは、本明細書で記述される方法の１つが実行されるように、プログラマブル・コンピュータ・システムと協働可能である。
【０２０８】
一般的に、本発明の実施形態は、プログラム・コードを有するコンピュータ・プログラム製品として実施されることができる。プログラム・コードは、コンピュータ・プログラム製品がコンピュータ上で稼働するとき方法の１つを実行するように動作する。プログラム・コードは、例えば、マシン読み取り可能なキャリア上に保存されることができる。
【０２０９】
他の実施形態は、本明細書で記述される方法の１つを実行するためのコンピュータ・プログラムを備える。コンピュータ・プログラムは、マシン読み取り可能なキャリアに保存される。
【０２１０】
言い換えれば、本発明の方法の実施形態は、それゆえ、コンピュータ・プログラムがコンピュータ上で稼働するとき、本明細書で記述された方法の１つを実行するためのプログラム・コードを有するコンピュータ・プログラムである。
【０２１１】
本発明の方法の更なる実施形態は、それゆえ、そこに記録された、本明細書で記述された方法の１つを実行するためのコンピュータ・プログラムを備えるデータ・キャリア（又はデジタル・ストレージ・メディア又はコンピュータ読み取り可能なメディア）である。データ・キャリア、デジタル・ストレージ・メディア又は記録されたメディアは、典型的に有形的かつ／又は非遷移的である。
【０２１２】
本発明の方法の更なる実施形態は、それゆえ、本明細書で記述された方法の１つを実行するためのコンピュータ・プログラムを表現している信号のシーケンス又はデータ・ストリームである。データ・ストリーム又は信号のシーケンスは、例えば、データ通信接続例えばインターネットを介して転送されるように構成されることができる。
【０２１３】
更なる実施形態は、処理手段、例えば、コンピュータ又はプログラマブル・ロジック・デバイスを備える。処理手段は、本明細書で記述された方法の１つを実行するように構成又は適合されている。
【０２１４】
更なる実施形態は、そこにインストールされた、本明細書で記述された方法の１つを実行するためのコンピュータ・プログラムを有するコンピュータを備える。
【０２１５】
本発明による更なる実施形態は、本明細書で記述された方法の１つを実行するためのコンピュータ・プログラムをレシーバへ（例えば電子的に又は光学的に）転送するように構成された装置又はシステムを備える。レシーバは、例えば、コンピュータ、モバイル・デバイス、メモリ・デバイスなどであることができる。装置又はシステムは、例えば、コンピュータ・プログラムをレシーバへ転送するためのファイル・サーバを備えることができる。
【０２１６】
いくつかの実施形態において、プログラマブル・ロジック・デバイス（例えば、フィールド・プログラマブル・ゲート・アレイ）は、本明細書で記述された方法の機能のいくつか又は全てを実行するために使用されることができる。いくつかの実施形態において、フィールド・プログラマブル・ゲート・アレイは、本明細書で記述された方法の一つを実行するためにマイクロプロセッサと協働することができる。一般的に、方法は、好ましくは、任意のハードウェア装置によって実行される。
【０２１７】
本明細書で記述された装置は、ハードウェア装置を使用して、又は、コンピュータを使用して、又は、ハードウェア装置及びコンピュータの組み合わせを使用して実施されることができる。
【０２１８】
本明細書で記述された装置又は本明細書で記述された装置の任意の構成要素は、ハードウェア及び／又はソフトウェアにおいて少なくとも部分的に実施されることができる。
【０２１９】
本明細書で記述された方法は、ハードウェア装置を使用して、又は、コンピュータを使用して、又は、ハードウェア装置及びコンピュータの組み合わせを使用して実行されることができる。
【０２２０】
本明細書で記述された方法又は本明細書で記述された装置の任意の構成要素は、ハードウェア及び／又はソフトウェアによって少なくとも部分的に実行されることができる。
【０２２１】
上記の実施形態は、本発明の原理の単なる例示である。本明細書で記述された配列および詳細の修正および変形が当業者には明らかであることは、理解される。したがって、本発明は、添付された特許請求の範囲によってのみ限定され、本明細書の実施形態の記述および説明によって示される特定の詳細によっては限定されないことは、意図される。
【図１】
2019516330.tif 000003
【図２ａ】
2019516330.tif 000004
【図２ｂ】
2019516330.tif 000005
【図２ｃ】
2019516330.tif 000006
【図２ｄ】
2019516330.tif 000007
【図２ｅ】
2019516330.tif 000008
【図２ｆ】
2019516330.tif 000009
【図３】
2019516330.tif 000010
【図４】
2019516330.tif 000011
【図５】
2019516330.tif 000012
【図６】
2019516330.tif 000013
【図７ａ】
2019516330.tif 000014
【図７ｂ】
2019516330.tif 000015
【図８ａ】
2019516330.tif 000016
【図８ｂ】
2019516330.tif 000017
【図９ａ】
2019516330.tif 000018
【図９ｂ】
2019516330.tif 000019
【図１０】
2019516330.tif 000020
【図１１】
2019516330.tif 000021
【図１２】
2019516330.tif 000022
【図１３】
2019516330.tif 000023
【図１４】
2019516330.tif 000024
【図１５】
2019516330.tif 000025
【図１６】
2019516330.tif 000026
【図１７】
2019516330.tif 000027
【図１８】
2019516330.tif 000028
【図１９】
2019516330.tif 000029
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
パイロット・シーケンス（１０８）を含むデータ・パケット（１０６）を受信するように構成された受信ユニット（１０２）と、
少なくとも２つの部分的な参照シーケンス（１１２＿１−１１２＿ｎ）のそれぞれについての部分的な相関結果（１１６＿１−１１６＿ｎ）を得るために、前記パイロット・シーケンス（１０８）を前記少なくとも２つの部分的な参照シーケンス（１１２＿１−１１２＿ｎ）と個別に相関させるように構成された同期ユニット（１０４）と、
を備えるレシーバ（１００）であって、
前記同期ユニット（１０４）は、前記データ・パケット（１０６）についての粗い相関結果（１１８）を得るために前記部分的な相関結果（１１２＿１−１１２＿ｎ）を非コヒーレントに加算するように構成され、
前記受信ユニット（１０２）は、少なくとも２つのデータ・パケット（１０６）を受信するように構成され、前記少なくとも２つのデータ・パケット（１０６）のそれぞれは、パイロット・シーケンス（１０８）を含み、
前記同期ユニット（１０４）は、前記少なくとも２つのデータ・パケットのそれぞれについての前記少なくとも２つの部分的な参照シーケンスのそれぞれについての部分的な相関結果（１１６＿１−１１６＿ｎ）を得るために、前記少なくとも２つのデータ・パケット（１０６）のそれぞれの前記パイロット・シーケンス（１０８）を前記対応するデータ・パケット（１０６）の前記パイロット・シーケンス（１０８）についての参照シーケンス（１１４）に対応する少なくとも２つの部分的な参照シーケンス（１１２＿１−１１２＿ｎ）と個別に相関させるように構成され、
前記同期ユニット（１０４）は、前記少なくとも２つのデータ・パケットのそれぞれについての粗い相関結果（１１８）を得るために前記少なくとも２つのデータ・パケット（１０６）のそれぞれについての前記部分的な相関結果（１１６＿１−１１６＿ｎ）の少なくとも一部を非コヒーレントに加算するように構成され、
前記同期ユニット（１０４）は、結合された粗い相関結果を得るために、前記少なくとも２つのデータ・パケット（１０６）の前記粗い相関結果（１１８）の少なくとも一部を結合するように構成される、
レシーバ（１００）。
【請求項２】
前記同期ユニット（１０４）は、前記部分的な相関結果（１１６＿１−１１６＿ｎ）の絶対値又は２乗された絶対値又は近似絶対値又は任意の他の非線形演算を加算することによって前記部分的な相関結果（１１６＿１−１１６＿ｎ）を非コヒーレントに加算するように構成される、
請求項１に記載のレシーバ（１００）。
【請求項３】
前記少なくとも２つの部分的な参照シーケンス（１１２＿１−１１２＿ｎ）は、前記データ・パケット（１０６）の前記パイロット・シーケンス（１０８）についての参照シーケンス（１１４）の少なくとも２つの異なる部分である、請求項１又は請求項２のいずれか１項に記載のレシーバ（１００）。
【請求項４】
前記データ・パケット（１０６）は、前記参照シーケンスとして少なくとも２つの部分的な参照シーケンス（１０８＿１−１０８＿ｎ）を含む、
請求項１ないし請求項３のいずれか１項に記載のレシーバ（１００）。
【請求項５】
前記同期ユニット（１０４）は、前記少なくとも２つのデータ・パケット（１０６）の前記粗い相関結果（１１８）の理想的なネイマン−ピアソン検出器（Neyman-Pearson detector）の和又は近似値を使用することによって前記少なくとも２つのデータ・パケット（１０６）の前記粗い相関結果（１１８）を結合するように構成される、
請求項１ないし請求項４のいずれか１項に記載のレシーバ（１００）。
【請求項６】
前記少なくとも２つのデータ・パケット（１０６）は、前記少なくとも２つのデータ・パケット（１０６）に分離されて送信されるテレグラムの一部であり、前記レシーバ（１００）は、前記テレグラムを得るために前記少なくとも２つのデータ・パケット（１０６）を結合するように構成されたデータ・パケット（１０６）結合ユニットを備える、
請求項１ないし請求項５のいずれか１項に記載のレシーバ（１００）。
【請求項７】
前記同期ユニット（１０４）は、前記データ・パケット（１０６）についての細かな相関結果を得るために前記部分的な相関結果（１１６＿１−１１６＿ｎ）をコヒーレントに加算するように更に構成される、
請求項１ないし請求項６のいずれか１項に記載のレシーバ（１００）。
【請求項８】
前記結合された粗い相関が所定の閾値を超える場合、前記同期ユニット（１０４）は、前記少なくとも２つのデータ・パケット（１０６）のそれぞれについての細かな相関結果を得るために前記少なくとも２つのデータ・パケット（１０６）のそれぞれについての前記部分的な相関結果（１１６＿１−１１６＿ｎ）をコヒーレントに加算するように更に構成され、
前記同期ユニット（１０４）は、結合された細かな相関結果を得るために、前記少なくとも２つのデータ・パケット（１０６）の前記細かな相関結果を結合するように構成される、
請求項１ないし請求項７のいずれか１項に記載のレシーバ（１００）。
【請求項９】
前記同期ユニット（１０４）は、前記データ・パケット（１０６）の周波数オフセットを推定するように構成される、
請求項１ないし請求項８のいずれか１項に記載のレシーバ（１００）。
【請求項１０】
前記データ・パケット（１０６）は、前記パイロット・シーケンス（１０８）の位相シフトにおいて符号化されたヘッダ情報を含み、
前記レシーバ（１００）は、前記推定された周波数オフセットを使用して前記データ・パケット（１０６）に周波数補正を適用して前記パイロット・シーケンス（１０８）の前記位相シフトを推定することによって、前記データ・パケット（１０６）から前記ヘッダ情報を抽出するように構成されたヘッダ抽出ユニットを備える、
請求項９に記載のレシーバ（１００）。
【請求項１１】
前記同期ユニット（１０４）は、結合された粗い相関結果を得るために、前記少なくとも２つの部分的な参照シーケンスの前記粗い相関結果を正規化し、そして、前記少なくとも２つの部分的な参照シーケンスの前記正規化された粗い相関結果を結合するように構成される、
請求項１ないし請求項１０のいずれか１項に記載のレシーバ（１００）。
【請求項１２】
前記同期ユニット（１０４）は、前記パイロット・シーケンスのシンボルを正規化して、正規化されたパイロット・シーケンスを得て、そして、前記正規化されたパイロット・シーケンスを前記少なくとも２つの部分的な参照シーケンス（１１２＿１−１１２＿ｎ）と個別に相関させるように構成される、
請求項１ないし請求項１０のいずれか１項に記載のレシーバ（１００）。
【請求項１３】
前記同期ユニット（１０４）は、前記データ・パケット（１０６）についての前記部分的な相関結果（１１６＿１−１１６＿ｎ）の分散を計算し、そして、前記データ・パケット（１０６）についての前記部分的な相関結果の前記分散が所定の閾値以下である場合に前記データ・パケット（１０６）を検出するように構成される、
請求項１ないし請求項１２のいずれか１項に記載のレシーバ（１００）。
【請求項１４】
前記同期ユニット（１０４）は、前記データ・パケット（１０６）のシンボルにウエイト・ファクタを適用するように構成されるか、請求項４に記載の前記少なくとも２つの部分的なパイロット・シーケンス（１０８＿１−１０８＿ｎ）のそれぞれのシンボルに個別のウエイト・ファクタを適用するように構成されるか、又は、請求項４に記載の前記少なくとも２つの部分的なパイロット・シーケンス（１０８＿１−１０８＿ｎ）の各シンボルに個別のウエイト・ファクタを適用するように構成される、
請求項１ないし請求項１３のいずれか１項に記載のレシーバ（１００）。
【請求項１５】
前記同期ユニット（１０４）は、前記相関のメイン・ローブとサイド・ローブとを検出し、そして、前記メイン・ローブと前記サイド・ローブとの間の既知の距離を使用して相関結果として前記検出されたメイン・ローブを提供するように構成される、
請求項１ないし請求項１４のいずれか１項に記載のレシーバ（１００）。
【請求項１６】
前記同期ユニット（１０４）は、前記データ・パケット（１０６）を検出するために相関ウインドウを使用するように構成され、前記データ・パケット（１０６）は、前記相関ウインドウの範囲内で所定の閾値を超える全ての相関ピークのうちの最も高いピークを検出することによって検出される、
請求項１ないし請求項１５のいずれか１項に記載のレシーバ（１００）。
【請求項１７】
データ・パケット（１０６）を受信するように構成された受信ユニット（１０２）であって、前記データ・パケット（１０６）のうちの少なくとも２つが少なくとも２つの部分的なパイロット・シーケンス（１０８＿１−１０８＿ｎ）のうちの１つの部分的なパイロット・シーケンスを含む、受信ユニット（１０２）と、
少なくとも２つの部分的な参照シーケンス（１１２＿１−１１２＿ｎ）のそれぞれについての部分的な相関結果（１１６＿１−１１６＿ｎ）を得るために、前記部分的なパイロット・シーケンス（１０８＿１−１０８＿ｎ）を前記少なくとも２つの部分的な参照シーケンス（１１２＿１−１１２＿ｎ）と個別に相関させるように構成された同期ユニット（１０４）と、
を備えるレシーバ（１００）であって、
前記同期ユニット（１０４）は、前記データ・パケット（１０６）についての粗い相関結果（１１８）を得るために前記部分的な相関結果（１１２＿１−１１２＿ｎ）を非コヒーレントに加算するように構成され、
前記受信ユニット（１０２）は、更なるデータ・パケット（１０６）を受信するように構成され、前記更なるデータ・パケット（１０６）のうちの少なくとも２つは、少なくとも２つの部分的なパイロット・シーケンス（１０８＿１−１０８＿ｎ）のうちの１つの部分的なパイロット・シーケンスを含み、
前記同期ユニット（１０４）は、前記少なくとも２つの部分的な参照シーケンス（１１２＿１−１１２＿ｎ）のそれぞれについての部分的な相関結果（１１６＿１−１１６＿ｎ）を得るために、前記更なるデータ・パケットの前記部分的なパイロット・シーケンス（１０８＿１−１０８＿ｎ）を前記少なくとも２つの部分的な参照シーケンス（１１２＿１−１１２＿ｎ）と個別に相関させるように構成され、前記同期ユニット（１０４）は、前記更なるデータ・パケット（１０６）についての粗い相関結果（１１８）を得るために、前記更なるデータ・パケット（１０６）についての前記部分的な相関結果（１１２＿１−１１２＿ｎ）を非コヒーレントに加算するように構成され、
前記同期ユニット（１０４）は、結合された粗い相関結果を得るために、前記データ・パケット（１０６）の前記粗い相関結果（１１８）の少なくとも一部と前記更なるデータ・パケット（１０６）とを結合するように構成される、
レシーバ（１００）。
【請求項１８】
前記同期ユニット（１０４）は、前記部分的な相関結果（１１６＿１−１１６＿ｎ）の絶対値、２乗された絶対値、近似絶対値又は任意の他の非線形演算を加算することによって前記部分的な相関結果（１１６＿１−１１６＿ｎ）を非コヒーレントに加算するように構成される、
請求項１７に記載のレシーバ（１００）。
【請求項１９】
前記少なくとも２つの部分的な参照シーケンス（１１２＿１−１１２＿ｎ）は、参照シーケンス（１１４）の少なくとも２つの異なる部分であり、前記少なくとも２つの部分的なパイロット・シーケンス（１０８＿１−１０８＿ｎ）は、パイロット・シーケンス（１０８）の少なくとも２つの異なる部分である、
請求項１７又は請求項１８のいずれか１項に記載のレシーバ（１００）。
【請求項２０】
前記同期ユニット（１０４）は、前記データ・パケット（１０６）及び前記更なるデータ・パケット（１０６）の前記粗い相関結果（１１８）の理想的なネイマン−ピアソン検出器（Neyman-Pearson detector）の和又は近似値を使用することによって、前記データ・パケット（１０６）及び前記更なるデータ・パケット（１０６）の前記粗い相関結果（１１８）を結合するように構成される、
請求項１７ないし請求項１９のいずれか１項に記載のレシーバ（１００）。
【請求項２１】
前記同期ユニット（１０４）は、前記データ・パケットについての細かな相関結果を得るために前記データ・パケットの前記部分的な相関結果（１１６＿１−１１６＿ｎ）をコヒーレントに加算するように更に構成される、
請求項１７ないし請求項２０のいずれか１項に記載のレシーバ（１００）。
【請求項２２】
前記結合された粗い相関結果が所定の閾値を超える場合に、前記同期ユニット（１０４）は、前記データ・パケットについての細かな相関結果を得るために前記データ・パケットの前記部分的な相関結果（１１６＿１−１１６＿ｎ）をコヒーレントに加算し、そして、前記更なるデータ・パケットについての細かな相関結果を得るために前記更なるデータ・パケット（１０６）の前記部分的な相関結果（１１６＿１−１１６＿ｎ）をコヒーレントに加算するように更に構成され、
前記同期ユニット（１０４）は、結合された細かな相関結果を得るために、前記データ・パケット（１０６）及び前記更なるデータ・パケット（１０６）の前記細かな相関結果を結合するように構成される、
請求項１７ないし請求項２１のいずれか１項に記載のレシーバ。
【請求項２３】
前記同期ユニット（１０４）は、前記部分的なパイロット・シーケンスのシンボルを正規化して、正規化された部分的なパイロット・シーケンスを得て、そして、前記正規化された部分的なパイロット・シーケンスを前記対応する部分的な参照シーケンス（１１２＿１−１１２＿ｎ）と個別に相関させるように構成される、
請求項１７ないし請求項２２のいずれか１項に記載のレシーバ（１００）。
【請求項２４】
前記同期ユニット（１０４）は、前記部分的な相関結果（１１６＿１−１１６＿ｎ）の分散を計算し、そして、前記データ・パケット（１０６）についての前記部分的な相関結果の前記分散が所定の閾値以下である場合に前記データ・パケット（１０６）を検出するように構成される、
請求項１７ないし請求項２３のいずれか１項に記載のレシーバ（１００）。
【請求項２５】
前記同期ユニット（１０４）は、前記データ・パケット（１０６）のシンボルにウエイト・ファクタを適用するように構成されるか、前記少なくとも２つの部分的なパイロット・シーケンス（１０８＿１−１０８＿ｎ）のそれぞれのシンボルに個別のウエイト・ファクタを適用するように構成されるか、又は、前記少なくとも２つの部分的なパイロット・シーケンスの各シンボルに個別のウエイト・ファクタを適用するように構成される、
請求項１７ないし請求項２４のいずれか１項に記載のレシーバ（１００）。
【請求項２６】
前記同期ユニット（１０４）は、前記相関のメイン・ローブ及びサイド・ローブを検出し、そして、前記メイン・ローブと前記サイド・ローブとの間の既知の距離を使用して前記検出されたメイン・ローブを相関結果として提供するように構成される、
請求項１７ないし請求項２５のいずれか１項に記載のレシーバ（１００）。
【請求項２７】
前記同期ユニット（１０４）は、前記データ・パケット（１０６）を検出するために相関ウインドウを使用するように構成され、前記データ・パケット（１０６）は、前記相関ウインドウの範囲内で所定の閾値を超える全ての相関ピークのうちの最も高いピークを検出することによって検出される、
請求項１７ないし請求項２６のいずれか１項に記載のレシーバ（１００）。
【請求項２８】
パイロット・シーケンスを含むデータ・パケットを受信するステップ（２０２）と、
少なくとも２つの部分的な参照シーケンスについての部分的な相関結果を得るために、前記パイロット・シーケンスを前記データ・パケットの前記パイロット・シーケンスについての前記参照シーケンスに対応する前記少なくとも２つの部分的な参照シーケンスと個別に相関させるステップ（２０４）と、
前記データ・パケットについての相関結果を得るために前記部分的な相関結果を非コヒーレントに加算するステップ（２０６）と、
を備える方法（２００）であって、
受信するステップ（２０２）は、少なくとも２つのデータ・パケットを受信するステップを含み、前記少なくとも２つのデータ・パケットのそれぞれは、パイロット・シーケンスを含み、
個別に相関させるステップ（２０４）は、前記少なくとも２つのデータ・パケットのそれぞれについての前記少なくとも２つの部分的な参照シーケンスのそれぞれについての部分的な相関結果を得るために、前記少なくとも２つのデータ・パケットのそれぞれの前記パイロット・シーケンスを前記対応するデータ・パケットの前記パイロット・シーケンスについての参照シーケンスに対応する少なくとも２つの部分的な参照シーケンスと個別に相関させるステップを含み、
非コヒーレントに加算するステップ（２０６）は、前記少なくとも２つのデータ・パケットのそれぞれについての粗い相関結果を得るために前記少なくとも２つのデータ・パケットのそれぞれについての前記部分的な相関結果の少なくとも一部を非コヒーレントに加算するステップを含み、
前記方法は、結合された粗い相関結果を得るために、前記少なくとも２つのデータ・パケットの前記粗い相関結果の少なくとも一部を結合するステップを更に含む、
方法（２００）。
【請求項２９】
データ・パケット（１０６）を受信するステップであって、前記データ・パケット（１０６）のうちの少なくとも２つが少なくとも２つの部分的なパイロット・シーケンス（１０８＿１−１０８＿ｎ）のうちの１つの部分的なパイロット・シーケンスを含む、受信するステップと、
前記少なくとも２つの部分的な参照シーケンス（１１２＿１−１１２＿ｎ）のそれぞれについての部分的な相関結果（１１６＿１−１１６＿ｎ）を得るために、前記部分的なパイロット・シーケンス（１０８＿１−１０８＿ｎ）を少なくとも２つの部分的な参照シーケンス（１１２＿１−１１２＿ｎ）と個別に相関させるステップと、
前記データ・パケット（１０６）についての粗い相関結果（１１８）を得るために前記部分的な相関結果（１１２＿１−１１２＿ｎ）を非コヒーレントに加算するステップと、
を備える方法であって、
受信するステップは、更なるデータ・パケットを受信するステップを含み、前記更なるデータ・パケットのうちの少なくとも２つは、少なくとも２つの部分的なパイロット・シーケンスのうちの１つの部分的なパイロット・シーケンスを含み、
個別に相関させるステップは、前記少なくとも２つの部分的な参照シーケンスのそれぞれについての部分的な相関結果を得るために、前記更なるデータ・パケットの前記部分的なパイロット・シーケンスを少なくとも２つの部分的な参照シーケンスと個別に相関させるステップを含み、前記同期ユニットは、前記更なるデータ・パケットについての粗い相関結果を得るために前記更なるデータ・パケットについての前記部分的な相関結果を非コヒーレントに加算するように構成され、
前記方法は、結合された粗い相関結果を得るために、前記データ・パケットの前記粗い相関結果の少なくとも一部と前記更なるデータ・パケットとを結合するステップを更に含む、
方法。
【請求項３０】
請求項２８又は請求項２９に記載の前記方法を実行するためのコンピュータ・プログラム。
【請求項３１】
パイロット・シーケンス（１０８）を含むデータ・パケット（１０６）を受信するように構成された受信ユニット（１０２）と、
相関結果を得るために、前記パイロット・シーケンス（１０８）と参照シーケンスとを相関させるように構成された同期ユニット（１０４）と、
を備えるレシーバ（１００）であって、
前記同期ユニット（１０４）は、前記データ・パケット（１０６）のシンボルにウエイト・ファクタを適用するように構成されるか、前記パイロット・シーケンス（１０８）のシンボルにウエイト・ファクタを適用するように構成されるか、又は、前記パイロット・シーケンス（１０８）の各シンボルに個別のウエイト・ファクタを適用するように構成される、
レシーバ（１００）。
【請求項３２】
パイロット・シーケンス（１０８）を含むデータ・パケット（１０６）を受信するように構成された受信ユニット（１０２）と、
相関結果を得るために、前記パイロット・シーケンス（１０８）と参照シーケンスとを相関させるように構成された同期ユニット（１０４）と、
を備えるレシーバ（１００）であって、
前記同期ユニット（１０４）は、前記データ・パケット（１０６）を検出するために相関ウインドウを使用するように構成され、前記データ・パケット（１０６）は、前記相関ウインドウの範囲内で所定の閾値を超える全ての相関ピークのうちの最も高いピークを検出することによって検出され、
前記相関ウインドウは、複数のタイム・スロットに分けられ、各タイム・スロットは、自身に関連するインデックスを有し、
前記所定の閾値を上回る相関値が検出された場合に、前記相関ウインドウの内側の最も高いピークは、検索され、前記データ・パケット検出は、前記検出ウインドウの内側の最も高い相関ピークの前記インデックスが所定の検出インデックスに到達するまで、ブロックされる、
レシーバ（１００）。
【国際調査報告】
2019516330.tif 000030
2019516330.tif 000031
2019516330.tif 000032
2019516330.tif 000033
2019516330.tif 000034
2019516330.tif 000035